(57)【要約】本発明は、無線通信システムにおける、レガシーＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）をサポートする端末により実行されるＣＱＩ（Ｃｈａｎｎｅｌ  Ｑｕａｌｉｔｙ  Ｉｎｄｉｃａｔｏｒ）送信方法において、Ｓ−ＴＴＩベースの通信が実行されるかどうかによって、事前に定義された制御チャネル関連オーバーヘッドを決定し、及び決定された前記事前に定義された制御チャネル関連オーバーヘッドに基づいて、前記ＣＱＩを送信し、前記Ｓ−ＴＴＩベースの通信が実行される場合、前記事前に定義された制御チャネル関連オーバーヘッドは、レガシーＰＤＣＣＨ（ｐｈｙｓｉｃａｌ  ｄｏｗｎｌｉｎｋ  ｃｏｎｔｒｏｌ  ｃｈａｎｎｅｌ）領域が含まれているＳ−ＴＴＩとレガシーＰＤＣＣＨ領域が含まれていないＳ−ＴＴＩとの間に同じく決定されることを特徴とする方法を提供する。【選択図】図１
2020519205.tif 000002
【特許請求の範囲】
【請求項１】
無線通信システムにおける、レガシーＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）をサポートする端末により実行されるＣＱＩ（Ｃｈａｎｎｅｌ  Ｑｕａｌｉｔｙ  Ｉｎｄｉｃａｔｏｒ）送信方法において、
Ｓ−ＴＴＩベースの通信が実行されるかどうかによって、事前に定義された制御チャネル関連オーバーヘッドを決定し、及び、
決定された前記事前に定義された制御チャネル関連オーバーヘッドに基づいて、前記ＣＱＩを送信し、
前記Ｓ−ＴＴＩベースの通信が実行される場合、前記事前に定義された制御チャネル関連オーバーヘッドは、レガシーＰＤＣＣＨ（ｐｈｙｓｉｃａｌ  ｄｏｗｎｌｉｎｋ  ｃｏｎｔｒｏｌ  ｃｈａｎｎｅｌ）領域が含まれているＳ−ＴＴＩとレガシーＰＤＣＣＨ領域が含まれていないＳ−ＴＴＩとの間に同じく決定されることを特徴とする方法。
【請求項２】
前記事前に定義された制御チャネルは、ＰＤＣＣＨであることを特徴とする請求項１に記載の方法。
【請求項３】
前記Ｌ−ＴＴＩは、複数のＳ−ＴＴＩを含むことを特徴とする請求項１に記載の方法。
【請求項４】
前記Ｌ−ＴＴＩは、１ｍｓであることを特徴とする請求項１に記載の方法。
【請求項５】
前記Ｓ−ＴＴＩベースの通信が実行される場合、前記事前に定義された制御チャネル関連オーバーヘッドは、前記レガシーＰＤＣＣＨ領域が含まれているＳ−ＴＴＩベースのレファレンスリソースと前記レガシーＰＤＣＣＨ領域が含まれていないＳ−ＴＴＩベースのレファレンスリソースとの間に同じく決定されることを特徴とする請求項１に記載の方法。
【請求項６】
無線通信システムにおける、レガシーＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）をサポートする端末により実行されるＣＳＩ（Ｃｈａｎｎｅｌ  Ｓｔａｔｅ  Ｉｎｆｏｒｍａｔｉｏｎ）レポート（ｒｅｐｏｒｔ）方法において、
ＤＣＩ（ｄｏｗｎｌｉｎｋ  ｃｏｎｔｒｏｌ  ｉｎｆｏｒｍａｔｉｏｎ）を受信し、及び、
前記ＤＣＩによりトリガリングされたＣＳＩをレポートし、
前記ＣＳＩは、前記ＤＣＩを受信したサブフレームに対する送信モードに基づいてレポートされることを特徴とする方法。
【請求項７】
前記ＣＳＩは、前記ＤＣＩを受信したＳ−ＴＴＩが属する前記サブフレームに対する送信モードに基づいてレポートされることを特徴とする請求項６に記載の方法。
【請求項８】
前記サブフレームのタイプは、ＭＢＳＦＮ（Ｍｕｌｔｉｃａｓｔ  Ｂｒｏａｄｃａｓｅ  Ｓｉｎｇｌｅ  Ｆｒｅｑｕｅｎｃｙ  Ｎｅｔｗｏｒｋ）サブフレームタイプまたはＮＭＢＳＦＮ（ｎｏｎ−ＭＢＳＦＮ）サブフレームタイプのうち一つであることを特徴とする請求項７に記載の方法。
【請求項９】
前記サブフレームのタイプが前記ＭＢＳＦＮサブフレームタイプである場合と、前記サブフレームのタイプが前記ＮＭＢＳＦＮサブフレームタイプである場合は、互いに異なる送信モードが設定されることを特徴とする請求項８に記載の方法。
【請求項１０】
無線通信システムにおける、レガシーＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）をサポートする端末により実行されるＣＳＩ（Ｃｈａｎｎｅｌ  Ｓｔａｔｅ  Ｉｎｆｏｒｍａｔｉｏｎ）報告方法において、
前記ＣＳＩ報告関連ＣＳＩレファレンスリソースを選択し、及び、
前記ＣＳＩレファレンスリソースに基づいて前記ＣＳＩ報告を実行し、
前記端末は、前記Ｓ−ＴＴＩ単位で前記ＣＳＩレファレンスリソースを選択することを特徴とする方法。
【請求項１１】
前記ＣＳＩ報告がＳ−ＴＴＩ  ＰＤＣＣＨ（ｐｈｙｓｉｃａｌ  ｄｏｗｎｌｉｎｋ  ｃｏｎｔｒｏｌ  ｃｈａｎｎｅｌ）上でトリガリングされた場合、前記Ｓ−ＴＴＩ単位で前記ＣＳＩレファレンスリソースが選択されることを特徴とする請求項１０に記載の方法。
【請求項１２】
前記ＣＳＩ報告がＳ−ＴＴＩ関連ＣＳＩ報告トリガリングＤＣＩによりトリガリングされた場合、前記Ｓ−ＴＴＩ単位で前記ＣＳＩレファレンスリソースが選択されることを特徴とする請求項１０に記載の方法。
【請求項１３】
前記ＣＳＩ報告がＳ−ＴＴＩ  ＰＵＳＣＨ（Ｐｈｙｓｉｃａｌ  Ｕｐｌｉｎｋ  Ｓｈａｒｅｄ  Ｃｈａｎｎｅｌ）またはＰＵＣＣＨ（Ｐｈｙｓｉｃａｌ  Ｕｐｌｉｎｋ  Ｃｏｎｔｒｏｌ  Ｃｈａｎｎｅｌ）を介して送信される場合、前記Ｓ−ＴＴＩ単位で前記ＣＳＩレファレンスリソースが選択されることを特徴とする請求項１０に記載の方法。
【請求項１４】
前記ＣＳＩ報告関連ＣＳＩレファレンスリソースタイミングは、Ｓ−ＴＴＩ単位でカウンティングされることを特徴とする請求項１０に記載の方法。
【発明の詳細な説明】
【技術分野】
【０００１】
本発明は、無線通信に関し、より詳しくは、無線通信システムにおける端末のＤ２Ｄ動作方法及び前記方法を利用する端末に関する。
【背景技術】
【０００２】
ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏ  ｃｏｍｍｕｎｉｃａｔｉｏｎ  ｓｅｃｔｏｒ）では、３世代以降の次世代移動通信システムであるＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−Ａｄｖａｎｃｅｄの標準化作業を進めている。ＩＭＴ−Ａｄｖａｎｃｅｄは、停止及び低速の移動状態で１Ｇｂｐｓ、高速の移動状態で１００Ｍｂｐｓのデータ転送レートでＩＰ（Ｉｎｔｅｒｎｅｔ  Ｐｒｏｔｏｃｏｌ）ベースのマルチメディアサービスサポートを目標とする。
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）は、ＩＭＴ−Ａｄｖａｎｃｅｄの要求事項を満たすシステム標準としてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）／ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）転送方式ベースであるＬＴＥ（Ｌｏｎｇ  Ｔｅｒｍ  Ｅｖｏｌｕｔｉｏｎ）を改善したＬＴＥ−Ａｄｖａｎｃｅｄ（ＬＴＥ−Ａ）を準備している。ＬＴＥ−Ａは、ＩＭＴ−Ａｄｖａｎｃｅｄのための有力な候補のうちの一つである。
【０００４】
最近装置間の直接通信をするＤ２Ｄ（Ｄｅｖｉｃｅ−ｔｏ−Ｄｅｖｉｃｅ）技術に対する関心が高まっている。特に、Ｄ２Ｄは、公衆安全ネットワーク（ｐｕｂｌｉｃ  ｓａｆｅｔｙ  ｎｅｔｗｏｒｋ）のための通信技術として注目を浴びている。商業的通信ネットワークは、速くＬＴＥに変化しているが、既存通信規格との衝突問題と費用側面で現在の公衆安全ネットワークは、主に２Ｇ技術に基づいている。このような技術間隙と改善されたサービスに対する要求は、公衆安全ネットワークを改善しようとする努力につながっている。
【０００５】
本発明では、端末がＳ−ＴＴＩベースの無線通信を実行する場合、Ｓ−ＴＩＩベースのＣＳＩ（ｃｈａｎｎｅｌ  ｓｔａｔｅ  ｉｎｆｏｒｍａｔｉｏｎ）を導出するために、どのような方法を提供するかに対して議論する。
【発明の概要】
【発明が解決しようとする課題】
【０００６】
本発明は、無線通信システムにおける端末のＤ２Ｄ動作方法及び前記方法を利用する端末を提供する。
【課題を解決するための手段】
【０００７】
本発明の一実施例によると、無線通信システムにおける、レガシーＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）をサポートする端末により実行されるＣＱＩ（Ｃｈａｎｎｅｌ  Ｑｕａｌｉｔｙ  Ｉｎｄｉｃａｔｏｒ）送信方法において、Ｓ−ＴＴＩベースの通信が実行されるかどうかによって、事前に定義された制御チャネル関連オーバーヘッドを決定し、及び決定された前記事前に定義された制御チャネル関連オーバーヘッドに基づいて、前記ＣＱＩを送信し、前記Ｓ−ＴＴＩベースの通信が実行される場合、前記事前に定義された制御チャネル関連オーバーヘッドは、レガシーＰＤＣＣＨ（ｐｈｙｓｉｃａｌ  ｄｏｗｎｌｉｎｋ  ｃｏｎｔｒｏｌ  ｃｈａｎｎｅｌ）領域が含まれているＳ−ＴＴＩとレガシーＰＤＣＣＨ領域が含まれていないＳ−ＴＴＩとの間に同じく決定されることを特徴とする方法が提供される。
【０００８】
このとき、前記事前に定義された制御チャネルは、ＰＤＣＣＨである。
【０００９】
このとき、前記Ｌ−ＴＴＩは、複数のＳ−ＴＴＩを含む。
【００１０】
このとき、前記Ｌ−ＴＴＩは、１ｍｓである。
【００１１】
このとき、前記Ｓ−ＴＴＩベースの通信が実行される場合、前記事前に定義された制御チャネル関連オーバーヘッドは、前記レガシーＰＤＣＣＨ領域が含まれているＳ−ＴＴＩベースのレファレンスリソースと前記レガシーＰＤＣＣＨ領域が含まれていないＳ−ＴＴＩベースのレファレンスリソースとの間に同じく決定される。
【００１２】
本発明の他の実施例によると、無線通信システムにおける、レガシーＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）をサポートする端末により実行されるＣＳＩ（Ｃｈａｎｎｅｌ  Ｓｔａｔｅ  Ｉｎｆｏｒｍａｔｉｏｎ）レポート（ｒｅｐｏｒｔ）方法において、ＤＣＩ（ｄｏｗｎｌｉｎｋ  ｃｏｎｔｒｏｌ  ｉｎｆｏｒｍａｔｉｏｎ）を受信し、及び前記ＤＣＩによりトリガリングされたＣＳＩをレポートし、前記ＣＳＩは、前記ＤＣＩを受信したサブフレームに対する送信モードに基づいてレポートされる。
【００１３】
このとき、前記ＣＳＩは、前記ＤＣＩを受信したＳ−ＴＴＩが属する前記サブフレームに対する送信モードに基づいてレポートされる。
【００１４】
このとき、前記サブフレームのタイプは、ＭＢＳＦＮ（Ｍｕｌｔｉｃａｓｔ  Ｂｒｏａｄｃａｓｅ  Ｓｉｎｇｌｅ  Ｆｒｅｑｕｅｎｃｙ  Ｎｅｔｗｏｒｋ）サブフレームタイプまたはＮＭＢＳＦＮ（ｎｏｎ−ＭＢＳＦＮ）サブフレームタイプのうち一つである。
【００１５】
このとき、前記サブフレームのタイプが前記ＭＢＳＦＮサブフレームタイプである場合と、前記サブフレームのタイプが前記ＮＭＢＳＦＮサブフレームタイプである場合は、互いに異なる送信モードが設定される。
【００１６】
本発明の他の実施例によると、無線通信システムにおける、レガシーＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）をサポートする端末により実行されるＣＳＩ（Ｃｈａｎｎｅｌ  Ｓｔａｔｅ  Ｉｎｆｏｒｍａｔｉｏｎ）報告方法において、前記ＣＳＩ報告関連ＣＳＩレファレンスリソースを選択し、及び前記ＣＳＩレファレンスリソースに基づいて前記ＣＳＩ報告を実行し、前記端末は、前記Ｓ−ＴＴＩ単位で前記ＣＳＩレファレンスリソースを選択することを特徴とする方法が提供される。
【００１７】
このとき、前記ＣＳＩ報告がＳ−ＴＴＩ  ＰＤＣＣＨ（ｐｈｙｓｉｃａｌ  ｄｏｗｎｌｉｎｋ  ｃｏｎｔｒｏｌ  ｃｈａｎｎｅｌ）上でトリガリングされた場合、前記Ｓ−ＴＴＩ単位で前記ＣＳＩレファレンスリソースが選択される。
【００１８】
このとき、前記ＣＳＩ報告がＳ−ＴＴＩ関連ＣＳＩ報告トリガリングＤＣＩによりトリガリングされた場合、前記Ｓ−ＴＴＩ単位で前記ＣＳＩレファレンスリソースが選択される。
【００１９】
このとき、前記ＣＳＩ報告がＳ−ＴＴＩ  ＰＵＳＣＨ（Ｐｈｙｓｉｃａｌ  Ｕｐｌｉｎｋ  Ｓｈａｒｅｄ  Ｃｈａｎｎｅｌ）またはＰＵＣＣＨ（Ｐｈｙｓｉｃａｌ  Ｕｐｌｉｎｋ  Ｃｏｎｔｒｏｌ  Ｃｈａｎｎｅｌ）を介して送信される場合、前記Ｓ−ＴＴＩ単位で前記ＣＳＩレファレンスリソースが選択される。
【００２０】
このとき、前記ＣＳＩ報告関連ＣＳＩレファレンスリソースタイミングは、Ｓ−ＴＴＩ単位でカウンティングされる。
【発明の効果】
【００２１】
本発明によると、端末がＳ−ＴＴＩベースの無線通信を実行する場合、Ｓ−ＴＩＩベースのＣＳＩ（ｃｈａｎｎｅｌ  ｓｔａｔｅ  ｉｎｆｏｒｍａｔｉｏｎ）を導出する方法が提供される。
【図面の簡単な説明】
【００２２】
【図１】無線通信システムを例示する。
【図２】ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。
【図３】制御平面（ｃｏｎｔｒｏｌ  ｐｌａｎｅ）に対する無線プロトコル構造を示すブロック図である。
【図４】ＮＲが適用される次世代無線接続ネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【図５】ＮＧ−ＲＡＮと５ＧＣとの間の機能的分割を例示する。
【図６】Ｓ−ＴＴＩとＬ−ＴＴＩの一例を概略的に示す。
【図７】Ｓ−ＴＴＩとＬ−ＴＴＩの他の例を概略的に示す。
【図８】Ｓ−ＴＴＩとＬ−ＴＴＩの他の例を概略的に示す。
【図９】本発明の一実施例に係る、ＣＳＩレファレンスリソース決定方法に対する流れ図である。
【図１０】端末がＣＳＩレファレンスリソースタイミングをＳ−ＴＴＩ単位でカウンティングし、実質的測定は、Ｌ−ＴＴＩ単位で決定する例示を概略的に説明したものである。
【図１１】本発明の他の実施例に係る、ＣＳＩレファレンスリソース決定方法に対する流れ図である。
【図１２】Ｌ−ＴＴＩ状況で、ＣＱＩ  ＩＮＤＥＸ導出時に仮定するオーバーヘッドを導出する方法の例示を概略的に示す。
【図１３】本発明の一実施例に係る、Ｓ−ＴＴＩ状況で、ＣＱＩ  ＩＮＤＥＸ導出時に仮定するオーバーヘッドを決定する方法の流れ図である。
【図１４】特定Ｓ−ＴＴＩがレガシーＰＤＣＣＨ領域を含んでいるかどうかにかかわらず、全てのＳ−ＴＴＩに対して、固定された制御オーバーヘッドが仮定される例示を概略的に示す。
【図１５】本発明の一実施例に係る、決定された送信モードに基づいてＣＳＩ報告を実行する方法の流れ図である。
【図１６】ＣＳＩ報告と、送信モードの相関関係に対する例を概略的に示す。
【図１７】本発明の実施例が具現される通信装置を示すブロック図である。
【図１８】プロセッサに含まれる装置の一例を示すブロック図である。
【発明を実施するための形態】
【００２３】
以下、別途に定義されない用語または略語は、３ＧＰＰ  ＴＳ  ３６シリーズまたはＴＳ  ３８シリーズで定義されることができる。
【００２４】
図１は、無線通信システムを例示する。これはＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムとも呼ばれる。
【００２５】
Ｅ−ＵＴＲＡＮは、端末１０（Ｕｓｅｒ  Ｅｑｕｉｐｍｅｎｔ、ＵＥ）にコントロールプレーン（ｃｏｎｔｒｏｌ  ｐｌａｎｅ）とユーザプレーン（ｕｓｅｒ  ｐｌａｎｅ）を提供する基地局２０（Ｂａｓｅ  Ｓｔａｔｉｏｎ、ＢＳ）とを含む。端末１０は、固定されるか、または移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることができる。基地局２０は、端末１０と通信する固定された支点（ｆｉｘｅｄ  ｓｔａｔｉｏｎ）をいい、ｅＮＢ（ｅｖｏｌｖｅｄ-ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。
【００２６】
基地局２０は、Ｘ２インターフェースを介して互いに接続されることができる。基地局２０は、Ｓ１インターフェースを介してＥＰＣ（Ｅｖｏｌｖｅｄ Ｐａｃｋｅｔ  Ｃｏｒｅ）３０、さらに詳細には、Ｓ１-ＭＭＥを介してＭＭＥ（Ｍｏｂｉｌｉｔｙ  Ｍａｎａｇｅｍｅｎｔ  Ｅｎｔｉｔｙ）とＳ１-Ｕを介してＳ−ＧＷ（Ｓｅｒｖｉｎｇ  Ｇａｔｅｗａｙ）と接続される。
【００２７】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）から構成される。ＭＭＥは、端末の接続情報または端末の能力に関する情報を有しており、このような情報は、端末の移動性管理に主に使用される。Ｓ−ＧＷは、Ｅ−ＵＴＲＡＮを終端点として有するゲートウェイであり、Ｐ−ＧＷは、ＰＤＮを終端点として有するゲートウェイである。
【００２８】
端末とネットワークとの間の無線インターフェースプロトコル（Ｒａｄｉｏ  Ｉｎｔｅｒｆａｃｅ  Ｐｒｏｔｏｃｏｌ）の層は、通信システムにおいて広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個層に基づいてＬ１（第１層）、Ｌ２（第２層）、Ｌ３（第３層）に区分されることができるが、この中で第１層に属する物理層は、物理チャネル（Ｐｈｙｓｉｃａｌ  Ｃｈａｎｎｅｌ）を利用した情報送信サービス（Ｉｎｆｏｒｍａｔｉｏｎ  Ｔｒａｎｓｆｅｒ  Ｓｅｒｖｉｃｅ）を提供し、第３層に位置するＲＲＣ（Ｒａｄｉｏ  Ｒｅｓｏｕｒｃｅ  Ｃｏｎｔｒｏｌ）層は、端末とネットワークとの間に無線資源を制御する役割を行う。このために、ＲＲＣ層は、端末と基地局との間のＲＲＣメッセージを交換する。
【００２９】
図２は、ユーザプレーン（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示したブロック図である。図３は、コントロールプレーン（ｃｏｎｔｒｏｌ  ｐｌａｎｅ）に対する無線プロトコル構造を示したブロック図である。ユーザプレーンは、ユーザデータ送信のためのプロトコルスタック（ｐｒｏｔｏｃｏｌ  ｓｔａｃｋ）で、コントロールプレーンは、制御信号送信のためのプロトコルスタックである。
【００３０】
図２及び図３を参照すると、物理層（ＰＨＹ（ｐｈｙｓｉｃａｌ）ｌａｙｅｒ）は、物理チャネル（ｐｈｙｓｉｃａｌ  Ｃｈａｎｎｅｌ）を利用して上位層に情報送信サービス（ｉｎｆｏｒｍａｔｉｏｎ  ｔｒａｎｓｆｅｒ  ｓｅｒｖｉｃｅ）を提供する。物理層は、上位層であるＭＡＣ（Ｍｅｄｉｕｍ  Ａｃｃｅｓｓ  Ｃｏｎｔｒｏｌ）層とは送信チャネル（ｔｒａｎｓｐｏｒｔ  ｃｈａｎｎｅｌ）を介して接続されている。送信チャネルを介してＭＡＣ層と物理層との間にデータが移動する。送信チャネルは、無線インターフェースを介してデータがどのようにどんな特徴で送信されるかによって分類される。
【００３１】
互いに異なる物理層の間、即ち、送信機と受信機の物理層の間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調されることができ、時間と周波数を無線資源として活用する。
【００３２】
ＭＡＣ層の機能は、論理チャネルと送信チャネルとの間のマッピング及び論理チャネルに属するＭＡＣ  ＳＤＵ（ｓｅｒｖｉｃｅ  ｄａｔａ  ｕｎｉｔ）の送信チャネル上へ物理チャネルに提供される送信ブロック（ｔｒａｎｓｐｏｒｔ  ｂｌｏｃｋ）への多重化／逆多重化を含む。ＭＡＣ層は、論理チャネルを介してＲＬＣ（Ｒａｄｉｏ  Ｌｉｎｋ  Ｃｏｎｔｒｏｌ）層にサービスを提供する。
【００３３】
ＲＬＣ層の機能は、ＲＬＣ  ＳＤＵの接続（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の３通りの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００３４】
ＲＲＣ（Ｒａｄｉｏ  Ｒｅｓｏｕｒｃｅ  Ｃｏｎｔｒｏｌ）層は、コントロールプレーンにおいてのみ定義される。ＲＲＣ層は、無線ベアラの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して、論理チャネル、送信チャネル及び物理チャネルの制御を担当する。ＲＢは、端末とネットワークとの間のデータ伝達のために、第１層（ＰＨＹ層）及び第２層（ＭＡＣ層、ＲＬＣ層、ＰＤＣＰ層）により提供される論理的経路を意味する。
【００３５】
ユーザプレーンでのＰＤＣＰ（Ｐａｃｋｅｔ  Ｄａｔａ  Ｃｏｎｖｅｒｇｅｎｃｅ  Ｐｒｏｔｏｃｏｌ）層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。コントロールプレーンでのＰＤＣＰ（Ｐａｃｋｅｔ  Ｄａｔａ  Ｃｏｎｖｅｒｇｅｎｃｅ  Ｐｒｏｔｏｃｏｌ）層の機能は、コントロールプレーンデータの伝達及び暗号化／整合性保護（ｉｎｔｅｇｒｉｔｙ  ｐｒｏｔｅｃｔｉｏｎ）を含む。
【００３６】
ＲＢが設定されるということは、特定サービスを提供するために無線プロトコル層及びチャネルの特性を規定し、各々の具体的なパラメータ及び動作方法を設定する過程を意味する。ＲＢは、またＳＲＢ（Ｓｉｇｎａｌｉｎｇ  ＲＢ）とＤＲＢ（Ｄａｔａ  ＲＢ）の２通りに分けられることができる。ＳＲＢは、コントロールプレーンにおいてＲＲＣメッセージを送信する通路として使用され、ＤＲＢは、ユーザプレーンにおいてユーザデータを送信する通路として使用される。
【００３７】
端末のＲＲＣ層とＥ−ＵＴＲＡＮのＲＲＣ層との間にＲＲＣ接続（ＲＲＣ  Ｃｏｎｎｅｃｔｉｏｎ）が確立されると、端末は、ＲＲＣ接続（ＲＲＣ  ｃｏｎｎｅｃｔｅｄ）状態にあるようになり、そうでない場合、ＲＲＣアイドル（ＲＲＣ  ｉｄｌｅ）状態にあるようになる。
【００３８】
ネットワークにおいて端末にデータを送信するダウンリンク送信チャネルには、システム情報を送信するＢＣＨ（Ｂｒｏａｄｃａｓｔ  Ｃｈａｎｎｅｌ）とその以外にユーザトラフィックまたは制御メッセージを送信するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを介して送信されることもでき、または別のダウンリンクＭＣＨ（Ｍｕｌｔｉｃａｓｔ  Ｃｈａｎｎｅｌ）を介して送信されることもできる。一方、端末においてネットワークにデータを送信するアップリンク送信チャネルには、初期制御メッセージを送信するＲＡＣＨ（Ｒａｎｄｏｍ  Ａｃｃｅｓｓ  Ｃｈａｎｎｅｌ）とそれ以外にユーザトラフィックまたは制御メッセージを送信するアップリンクＳＣＨ（Ｓｈａｒｅｄ  Ｃｈａｎｎｅｌ）がある。
【００３９】
送信チャネル上位にあり、送信チャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４０】
物理チャネル（Ｐｈｙｓｉｃａｌ  Ｃｈａｎｎｅｌ）は、時間領域で複数のＯＦＤＭシンボルと周波数領域で複数の副搬送波（Ｓｕｂ-ｃａｒｒｉｅｒ）とから構成される。一つのサブフレーム（Ｓｕｂ-ｆｒａｍｅ）は、時間領域で複数のＯＦＤＭシンボル（Ｓｙｍｂｏｌ）から構成される。資源ブロックは、資源割り当て単位であって、複数のＯＦＤＭシンボルと複数の副搬送波（ｓｕｂ-ｃａｒｒｉｅｒ）から構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）即ち、Ｌ１／Ｌ２制御チャネルのために該当サブフレームの特定ＯＦＤＭシンボル（例えば、第１番目のＯＦＤＭシンボル）の特定副搬送波を利用することができる。ＴＴＩ（Ｔｒａｎｓｍｉｓｓｉｏｎ  Ｔｉｍｅ  Ｉｎｔｅｒｖａｌ）は、サブフレーム送信の単位時間である。
【００４１】
以下、新しい無線接続技術（ｎｅｗ  ｒａｄｉｏ  ａｃｃｅｓｓ  ｔｅｃｈｎｏｌｏｇｙ；ｎｅｗＲＡＴ）に対して説明する。前記新しい無線接続技術は、ＮＲ（ｎｅｗ  ｒａｄｉｏ）と略称することもできる。
【００４２】
より多くの通信機器がより大きい通信容量を要求するにつれて、既存の無線接続技術（ｒａｄｉｏ  ａｃｃｅｓｓ  ｔｅｃｈｎｏｌｏｇｙ；ＲＡＴ）に比べて向上したモバイルブロードバンド（ｍｏｂｉｌｅ  ｂｒｏａｄｂａｎｄ）通信に対する必要性が台頭されている。また、多数の機器及びモノを連結していつでもどこでも多様なサービスを提供するマッシブＭＴＣ（ｍａｓｓｉｖｅ  Ｍａｃｈｉｎｅ  Ｔｙｐｅ  Ｃｏｍｍｕｎｉｃａｔｉｏｎｓ）も次世代通信で考慮される主要案件のうち一つである。それだけでなく、信頼度（ｒｅｌｉａｂｉｌｉｔｙ）及び遅延（ｌａｔｅｎｃｙ）に敏感なサービス／端末を考慮した通信システムデザインが論議されている。このように拡張されたモバイルブロードバンドコミュニケーション（ｅｎｈａｎｃｅｄ  ｍｏｂｉｌｅ  ｂｒｏａｄｂａｎｄ  ｃｏｍｍｕｎｉｃａｔｉｏｎ）、ｍａｓｓｉｖｅ  ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代無線接続技術の導入が論議されており、本発明では該当技術（ｔｅｃｈｎｏｌｏｇｙ）を便宜上ｎｅｗ  ＲＡＴまたはＮＲと呼ぶ。
【００４３】
図４は、ＮＲが適用される次世代無線接続ネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【００４４】
図４を参照すると、ＮＧ−ＲＡＮは、端末にユーザ平面及び制御平面プロトコル終端（ｔｅｒｍｉｎａｔｉｏｎ）を提供するｇＮＢ及び／またはｅＮＢを含むことができる。図４では、ｇＮＢのみを含む場合を例示する。ｇＮＢ及びｅＮＢは、相互間にＸｎインターフェースを介して連結されている。ｇＮＢ及びｅＮＢは、５世代コアネットワーク（５Ｇ  Ｃｏｒｅ  Ｎｅｔｗｏｒｋ：５ＧＣ）とＮＧインターフェースを介して連結されている。より具体的に、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）とはＮＧ−Ｃインターフェースを介して連結され、ＵＰＦ（ｕｓｅｒ  ｐｌａｎｅ  ｆｕｎｃｔｉｏｎ）とはＮＧ−Ｕインターフェースを介して連結される。
【００４５】
図５は、ＮＧ−ＲＡＮと５ＧＣとの間の機能的分割を例示する。
【００４６】
図５を参照すると、ｇＮＢは、インターセル間の無線リソース管理（Ｉｎｔｅｒ  Ｃｅｌｌ  ＲＲＭ）、無線ベアラ管理（ＲＢ  ｃｏｎｔｒｏｌ）、接続移動性制御（Ｃｏｎｎｅｃｔｉｏｎ  Ｍｏｂｉｌｉｔｙ  Ｃｏｎｔｒｏｌ）、無線許容制御（Ｒａｄｉｏ  Ａｄｍｉｓｓｉｏｎ  Ｃｏｎｔｒｏｌ）、測定設定及び提供（Ｍｅａｓｕｒｅｍｅｎｔ  ｃｏｎｆｉｇｕｒａｔｉｏｎ＆Ｐｒｏｖｉｓｉｏｎ）、動的リソース割当（ｄｙｎａｍｉｃ  ｒｅｓｏｕｒｃｅ  ａｌｌｏｃａｔｉｏｎ）などの機能を提供することができる。ＡＭＦは、ＮＡＳセキュリティ、アイドル状態移動性処理などの機能を提供することができる。ＵＰＦは、移動性アンカリング（Ｍｏｂｉｌｉｔｙ  Ａｎｃｈｏｒｉｎｇ）、ＰＤＵ処理などの機能を提供することができる。ＳＭＦ（Ｓｅｓｓｉｏｎ  Ｍａｎａｇｅｍｅｎｔ  Ｆｕｎｃｔｉｏｎ）は、端末ＩＰアドレス割当、ＰＤＵセッション制御などの機能を提供することができる。
【００４７】
図６は、Ｓ−ＴＴＩとＬ−ＴＴＩの一例を概略的に示す。
【００４８】
図６によると、Ｓ−ＴＴＩが事前に設定（／シグナリング）された基本リソースユニットに定義された場合、Ｌ−ＴＴＩは、（事前に設定（／シグナリング））されたＫ個のＳ−ＴＴＩ（基本リソースユニット）が結合された形態に解釈されることができる。
【００４９】
図７は、Ｓ−ＴＴＩとＬ−ＴＴＩの他の例を概略的に示す。
【００５０】
図７によると、Ｌ−ＴＴＩが事前に設定（／シグナリング）された基本リソースユニットに定義された場合、Ｓ−ＴＴＩは、Ｌ−ＴＴＩ（基本リソースユニット）が（事前に設定（／シグナリング））されたＫ個に分割された形態（例えば、一種のＭＩＮＩ−ＢＡＳＩＣ  ＲＥＳＯＵＲＣＥ  ＵＮＩＴ）に解釈されることができる。
【００５１】
前記図面の例とは違って、Ｓ−ＴＴＩも複数の（事前に設定（／シグナリング）された）基本リソースユニットが結合された形態を有することもできる。
【００５２】
図８は、Ｓ−ＴＴＩとＬ−ＴＴＩの他の例を概略的に示す。
【００５３】
図８によると、例えば、Ｓ−ＴＴＩ構成＃Ａのように、１番目のＳ−ＴＴＩは３個のＯＦＤＭシンボル（ＯＦＤＭ  ｓｙｍｂｏｌ；ＯＳ）の長さを有し、２番目のＳ−ＴＴＩは２個のＯＦＤＭシンボルの長さを有し、３番目のＳ−ＴＴＩは２個のＯＦＤＭシンボルの長さを有し、４番目のＳ−ＴＴＩは２個のＯＦＤＭシンボルの長さを有し、５番目のＳ−ＴＴＩは２個のＯＦＤＭシンボルの長さを有し、６番目のＳ−ＴＴＩは３個のＯＦＤＭシンボルの長さを有することができる。
【００５４】
または、例えば、Ｓ−ＴＴＩ構成＃Ｂのように、１番目のＳ−ＴＴＩは７個のＯＦＤＭシンボルの長さを有し、２番目のＳ−ＴＴＩは７個のＯＦＤＭシンボルの長さを有することもできる。
【００５５】
以上、Ｓ−ＴＴＩとＬ−ＴＴＩの関係に対する多様な例を図示した。しかし、前記説明した多様なＳ−ＴＴＩとＬ−ＴＴＩの例示は、説明の便宜のための一例示に過ぎず、Ｓ−ＴＴＩとＬ−ＴＴＩの形態は、前記開示された形態に制限されるものではない。
【００５６】
以下、本発明に対して説明する。
【００５７】
前記説明したように、端末は、Ｓ−ＴＴＩベースの無線通信を実行することができる。このとき、端末がＳ−ＴＴＩベースの無線通信を実行する場合、Ｓ−ＴＩＩベースのＣＳＩ（ｃｈａｎｎｅｌ  ｓｔａｔｅ  ｉｎｆｏｒｍａｔｉｏｎ）を導出するために、どのような方法を提供するかに対して議論が必要である。
【００５８】
したがって、一例として、下記提案方式は、（既存（例えば、“１ＭＳ”）に比べて）相対的に短いＴＲＡＮＳＭＩＳＳＩＯＮ  ＴＩＭＥ  ＩＮＴＥＲＶＡＬ（Ｓ−ＴＴＩ）ベースの通信が実行される時、（Ｓ−ＴＴＩ）チャネル状態情報（ＣＳＩ）（導出）（例えば、ＤＥＳＩＲＥＤ  ＳＩＧＮＡＬ／ＩＮＴＥＲＦＥＲＥＮＣＥ  ＭＥＡＳＵＲＭＥＮＴ等）関連参照リソース（ＣＳＩ  ＲＥＦＥＲＥＮＣＥ  ＲＥＳＯＵＲＣＥ）を効率的に決定／（指定）する方法を提示する。
【００５９】
以下、説明する用語に対する略語を整理すると、下記の通りである。
【００６０】
−Ｌ−ＴＴＩ：既存（ＬＥＧＡＣＹ）１ＭＳ長さ（または、Ｓ−ＴＴＩより多いシンボル個数）ベースの動作を意味する。
【００６１】
−Ｌ−ＴＴＩ  ＴＸ／ＲＸ：Ｌ−ＴＴＩベースのチャネル／シグナル送信／受信を意味する。
【００６２】
−Ｓ−ＴＴＩ：Ｌ−ＴＴＩより少ないシンボル個数ベースの動作を意味する。
【００６３】
−Ｓ−ＴＴＩ  ＴＸ／ＲＸ：Ｓ−ＴＴＩベースのチャネル／シグナル送信／受信を意味する。
【００６４】
−Ｓ−ＰＤＣＣＨ／ＰＤＳＣＨ、Ｓ−ＰＵＣＣＨ／ＰＵＳＣＨ：Ｓ−ＴＴＩベースのＰＤＣＣＨ／ＰＤＳＣＨ、ＰＵＣＣＨ／ＰＵＳＣＨを各々意味する。
【００６５】
−Ｌ−ＰＤＣＣＨ／ＰＤＳＣＨ、Ｌ−ＰＵＣＣＨ／ＰＵＳＣＨ：Ｌ−ＴＴＩベースのＰＤＣＣＨ／ＰＤＳＣＨ、ＰＵＣＣＨ／ＰＵＳＣＨを各々意味する。
【００６６】
本発明において、下記のような事項が考慮されることができる。
【００６７】
−Ｓ−ＴＴＩ能力端末であるとしても、ＣＳＩプロセシング（／測定）能力は、既存（Ｌ−ＴＴＩ）端末と同じ場合もある（例えば、Ｓ−ＴＴＩ能力端末の具現複雑度増加防止）。
【００６８】
本発明において“Ｓ−ＴＴＩ  ＣＡＰＡＢＬＥ  ＵＥ”は、“ＳＨＯＲＴＥＮＥＤ  ＰＲＯＣＥＳＳＩＮＧ  ＵＥ”に拡張解釈されることもできる。
【００６９】
−Ｓ−ＴＴＩ（ＧＲＯＵＰ）別に受信干渉強度（／パターン）が異なる場合もある。
【００７０】
例）このとき、Ｓ−ＴＴＩ  ＳＰＥＣＩＦＩＣ  ＤＥＳＩＲＥＤ  ＳＩＧＮＡＬ／ＩＮＴＥＲＦＥＲＥＮＣＥ  ＭＥＡＳＵＲＭＥＮＴに基づいて、ＣＳＩ導出（／計算）及び報告を実行することが、性能側面で、有利な場合もある。
【００７１】
−本発明において、“測定”ワーディングは、（ＣＳＩ導出／計算のための）ＤＥＳＩＲＥＤ  ＳＩＧＮＡＬ  ＭＥＡＳＵＲＭＥＮＴ（及び／またはＩＮＴＥＲＦＥＲＥＮＣＥ  ＭＥＡＳＵＲＭＥＮＴ）に（限定的に）解釈されることもできる。
【００７２】
例）“ＤＥＳＩＲＥＤ  ＳＩＧＮＡＬ”ワーディングは、事前に設定（／シグナリング）されたＣＳＩ−ＲＳ（または、ＣＲＳまたはＤＭ−ＲＳ）に（限定的に）解釈されることもできる。
【００７３】
例）“ＩＮＴＥＲＦＥＲＥＮＣＥ  ＭＥＡＳＵＲＭＥＮＴ”ワーディングは、事前に設定（／シグナリング）されたリソース（／参照シグナル）（例えば、ＩＭＲ、ＣＳＩ−ＲＳ／ＣＲＳ／ＤＭ−ＲＳ）に基づいて（限定的に）実行されることもできる。
【００７４】
−本発明において、“ＣＳＩ”ワーディングは、ＰＥＲＩＯＤＩＣ  ＣＳＩ（及び／またはＡＰＥＲＩＯＤＩＣ  ＣＳＩ）（測定／報告）に（限定的に）解釈されることもできる。
【００７５】
−本発明において、特定参照信号を指示するワーディングは、他の種類の参照信号（例えば、ＣＳＩ−ＲＳまたはＣＲＳまたはＤＭ−ＲＳ）に拡張解釈されることもできる。
【００７６】
−本発明において、“Ｓ−ＴＴＩ”（または、“Ｌ−ＴＴＩ”）ワーディングは、“Ｌ−ＴＴＩ”（または、“Ｓ−ＴＴＩ”）に拡張解釈されることもできる。
【００７７】
以下、Ｓ−ＴＩＩベースのＣＳＩ（ｃｈａｎｎｅｌ  ｓｔａｔｅ  ｉｎｆｏｒｍａｔｉｏｎ）を導出するための方法に対して、より具体的な例示を説明する。
【００７８】
（規則＃Ａ）特定（Ｓ−ＴＴＩ）時点のＣＳＩ報告関連ＣＳＩ  ＲＥＦＥＲＥＮＣＥ  ＲＥＳＯＵＲＣＥタイミングは、Ｓ−ＴＴＩ単位でカウンティングされるが（例えば、４Ｓ−ＴＴＩ以前）、もし、（実質的な）測定をＬ−ＴＴＩ単位で実行すべき場合、（１）Ｓ−ＴＴＩ単位でカウンティングされた時点以前に最も近いＬ−ＴＴＩを（最終）ＣＳＩ  ＲＥＦＥＲＥＮＣＥ  ＲＥＳＯＵＲＣＥ（及び／または測定リソース）と見なすようにし、または（２）Ｓ−ＴＴＩ単位でカウンティングされた時点が含まれているＬ−ＴＴＩをＣＳＩ  ＲＥＦＥＲＥＮＣＥ  ＲＥＳＯＵＲＣＥと見なし、また、（最終）測定は、該当Ｌ−ＴＴＩ上でＳ−ＴＴＩ単位でカウンティングされた時点以前の測定リソースのみを利用（または、該当Ｌ−ＴＴＩ上の全体測定リソースを利用）するようにすることもできる。
【００７９】
（規則＃Ａ）に対する理解の便宜のために、前記内容を図面を介して説明すると、下記の通りである。
【００８０】
図９は、本発明の一実施例に係る、ＣＳＩレファレンスリソース決定方法に対する流れ図である。
【００８１】
図９によると、端末は、特定Ｓ−ＴＴＩ時点のＣＳＩ報告関連ＣＳＩレファレンスリソースを決定することができる（Ｓ９１０）。前記端末は、レガシーＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）をサポートする端末である。併せて、このときの端末は、Ｓ−ＴＴＩだけでなく、Ｌ−ＴＴＩもサポートすることができる。
【００８２】
このとき、例えば、端末は、前記ＣＳＩレファレンスリソースを決定する時、ＣＳＩレファレンスリソースタイミングをＳ−ＴＴＩ単位でカウンティングし、実質的測定は、Ｌ−ＴＴＩ単位で決定できる。それによって、Ｓ−ＴＴＩ内にある（従来の）（一部）参照信号（例えば、ＣＳＩ−ＲＳ、ＣＲＳ）のみを利用して測定を実行する場合、ＣＳＩ導出のためのサンプルが少なくなる問題点が解決されることができる。
【００８３】
端末がＣＳＩレファレンスリソースタイミングをＳ−ＴＴＩ単位でカウンティングし、実質的測定は、Ｌ−ＴＴＩ単位で決定する具体的な例示を、図面を介して説明すると、下記の通りである。
【００８４】
図１０は、端末がＣＳＩレファレンスリソースタイミングをＳ−ＴＴＩ単位でカウンティングし、実質的測定は、Ｌ−ＴＴＩ単位で決定する例示を概略的に説明したものである。
【００８５】
ここで、図１０（ａ）は、Ｓ−ＴＴＩ単位でカウンティングされた時点以前に最も近いＬ−ＴＴＩを（最終）ＣＳＩ  ＲＥＦＥＲＥＮＣＥ  ＲＥＳＯＵＲＣＥ（及び／または測定リソース）と見なすようにする例示であり、図１０（ｂ）は、Ｓ−ＴＴＩ単位でカウンティングされた時点が含まれているＬ−ＴＴＩをＣＳＩ  ＲＥＦＥＲＥＮＣＥ  ＲＥＳＯＵＲＣＥと見なし、また、（最終）測定は、該当Ｌ−ＴＴＩ上でＳ−ＴＴＩ単位でカウンティングされた時点以前の測定リソースのみを利用（または、該当Ｌ−ＴＴＩ上の全体測定リソースを利用）する例示に該当する。
【００８６】
例えば、図１０（ａ）のように、Ｓ−ＴＴＩ単位でカウンティングされた時点がＬ−ＴＴＩ＃１上にある場合、Ｓ−ＴＴＩ単位でカウンティングされた時点以前に最も近いＬ−ＴＴＩであるＬ−ＴＴＩ＃０を最終ＣＳＩレファレンスリソースと見なすことができる。
【００８７】
このとき、図１０（ａ）の例示のように、ＣＳＩレファレンスリソースを定める場合、端末がＣＳＩ導出のためのサンプルの個数を増やすことができるという利点がある。
【００８８】
また、例えば、図１０（ｂ）のように、Ｓ−ＴＴＩ単位でカウンティングされた時点がＬ−ＴＴＩ＃１上にある場合、Ｓ−ＴＴＩ単位でカウンティングされた時点が含まれているＬ−ＴＴＩであるＬ−ＴＴＩ＃１を最終ＣＳＩレファレンスリソースと見なし、Ｌ−ＴＴＩ＃１上でＳ−ＴＴＩ単位でカウンティングされた時点以前の測定リソースのみを利用することもできる。
【００８９】
このとき、図１０（ｂ）の例示のように、ＣＳＩレファレンスリソースを定める場合、端末がＣＳＩ導出をする時、（図１０（ａ）の場合に比べて）最新サンプルを利用することができるという利点がある。
【００９０】
再び、図９を参照すると、端末は、決定された前記ＣＳＩレファレンスリソースに基づいて、特定Ｓ−ＴＴＩ時点のＣＳＩ報告を実行することができる（Ｓ９２０）。ここで、端末が決定された前記ＣＳＩレファレンスリソースに基づいて、特定Ｓ−ＴＴＩ時点のＣＳＩ報告を実行する具体的な例示は、後述する。
【００９１】
例）他の一例として、特定（Ｓ−ＴＴＩ）時点のＣＳＩ報告関連ＣＳＩ  ＲＥＦＥＲＥＮＣＥ  ＲＥＳＯＵＲＣＥタイミングがＬ−ＴＴＩ（または、ＭＳ）単位でカウンティングされるが（例えば、４ＭＳ以前）、もし、（実質的な）測定をＳ−ＴＴＩ単位で実行すべき場合、（１）Ｌ−ＴＴＩ（または、ＭＳ）単位でカウンティングされた時点以前に最も近いＳ−ＴＴＩを（最終）ＣＳＩ  ＲＥＦＥＲＥＮＣＥ  ＲＥＳＯＵＲＣＥ（及び／または測定リソース）と見なすようにし、または（Ｂ）Ｌ−ＴＴＩ（または、ＭＳ）単位でカウンティングされた時点が含まれているＳ−ＴＴＩをＣＳＩ  ＲＥＦＥＲＥＮＣＥ  ＲＥＳＯＵＲＣＥと見なし、また、（最終）測定は、該当Ｓ−ＴＴＩ上でＬ−ＴＴＩ（または、ＭＳ）単位でカウンティングされた時点以前の測定リソースのみを利用（または、該当Ｓ−ＴＴＩ上の全体測定リソースを利用）するようにすることもできる。
【００９２】
例）他の一例として、特定（Ｓ−ＴＴＩ）時点のＣＳＩ報告関連ＣＳＩ  ＲＥＦＥＲＥＮＣＥ  ＲＥＳＯＵＲＣＥタイミングがＬ−ＴＴＩ（または、ＭＳ）単位でカウンティングされるが（例えば、４ＭＳ以前）、もし、（実質的な）測定をＬ−ＴＴＩ単位で実行すべき場合、（１）Ｌ−ＴＴＩ（または、ＭＳ）単位でカウンティングされた時点以前に最も近いＬ−ＴＴＩを（最終）ＣＳＩ  ＲＥＦＥＲＥＮＣＥ  ＲＥＳＯＵＲＣＥ（及び／または測定リソース）と見なすようにし、または（Ｂ）Ｌ−ＴＴＩ（または、ＭＳ）単位でカウンティングされた時点が含まれているＬ−ＴＴＩをＣＳＩ  ＲＥＦＥＲＥＮＣＥ  ＲＥＳＯＵＲＣＥと見なし、また、（最終）測定は、該当Ｌ−ＴＴＩ上でＬ−ＴＴＩ（または、ＭＳ）単位でカウンティングされた時点以前の測定リソースのみを利用（または、該当Ｌ−ＴＴＩ上の全体測定リソースを利用）するようにすることもできる。
【００９３】
本発明において、端末が前記ＣＳＩレファレンスリソースを決定する時、ＣＳＩレファレンスリソースタイミングをＳ−ＴＴＩ単位でカウンティングし、実質的測定もＳ−ＴＴＩ単位で決定することを排除するものではない。
【００９４】
以下、端末がＳ−ＴＴＩ  ＧＲＡＮＵＬＡＲＩＴＹベースのＣＳＩ  ＲＥＦＥＲＥＮＣＥ  ＲＥＳＯＵＲＣＥ／ＣＳＩ  ＲＥＦＥＲＥＮＣＥ  ＲＥＳＯＵＲＣＥ  ＤＥＴＥＲＭＩＮＡＴＩＯＮ  ＴＩＭＥＬＩＮＥに沿う例を説明する。
【００９５】
（規則＃Ｂ）特定（Ｓ−ＴＴＩ）時点のＣＳＩ報告が、（１）Ｓ−ＴＴＩ  ＰＤＣＣＨ上で（または、Ｓ−ＴＴＩ  ＤＣＩを介して）トリガリングされ、または（２）Ｓ−ＴＴＩ（ＣＳＩ）タイプを指示するＣＳＩ報告トリガリングＤＣＩによりトリガリングされ、または（３）Ｓ−ＴＴＩ  ＰＵＳＣＨ（／ＰＵＣＣＨ）を介して送信され、または（４）Ｓ−ＴＴＩ関連（ＣＳＩ）情報を要求するもの（例えば、Ｓ−ＴＴＩ（ＳＥＴ）−ＳＰＥＣＩＦＩＣ  ＣＳＩ報告動作）である場合、ＣＳＩ  ＲＥＦＥＲＥＮＣＥ  ＲＥＳＯＵＲＣＥ（及び／または測定リソース及び／または報告）がＳ−ＴＴＩ（タイプ）に（限定的に）設定（／シグナリング）されることができる。
【００９６】
例）前記ＣＳＩ  ＲＥＦＥＲＥＮＣＥ  ＲＥＳＯＵＲＣＥ（及び／または測定リソース）に指定（／選択）されるＳ−ＴＴＩは、（１）ＣＳＩ報告がトリガリングされたＳ−ＴＴＩ  ＰＤＣＣＨ長さ、または（２）ＣＳＩ報告トリガリングＤＣＩ上で指示されたＳ−ＴＴＩ長さ、または（３）ＣＳＩ報告タイプ（／フォーマット／ＴＴＩ長さ）と（事前に連動されたＳ−ＴＴＩ長さと）同じ（または、事前に設定（／シグナリング）された臨界差値以下の）ものに制限されることもできる。
【００９７】
例）前記ＣＳＩ報告関連ＣＳＩ  ＲＥＦＥＲＥＮＣＥ  ＲＥＳＯＵＲＣＥタイミングは、Ｓ−ＴＴＩ単位（または、Ｌ−ＴＴＩ単位）に（限定的に）カウンティングされるように設定（／シグナリング）されることもできる。
【００９８】
（規則＃Ｂ）に対する理解の便宜のために、前記内容を図面を介して説明すると、下記の通りである。
【００９９】
図１１は、本発明の他の実施例に係る、ＣＳＩレファレンスリソース決定方法に対する流れ図である。
【０１００】
図１１によると、端末は、前記ＣＳＩ報告関連ＣＳＩレファレンスリソースを選択することができる（Ｓ１１１０）。前記端末は、レガシーＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）をサポートする端末である。併せて、このときの端末は、Ｓ−ＴＴＩだけでなく、Ｌ−ＴＴＩもサポートすることができる。
【０１０１】
ここで、前記端末は、前記Ｓ−ＴＴＩ単位で前記ＣＳＩレファレンスリソースを選択することができる。即ち、端末は、Ｓ−ＴＴＩ  ＧＲＡＮＵＬＡＲＩＴＹベースのＣＳＩ  ＲＥＦＥＲＥＮＣＥ  ＲＥＳＯＵＲＣＥ／ＣＳＩ  ＲＥＦＥＲＥＮＣＥ  ＲＥＳＯＵＲＣＥ  ＤＥＴＥＲＭＩＮＡＴＩＯＮ  ＴＩＭＥＬＩＮＥに沿うことができる。
【０１０２】
例えば、前記ＣＳＩ報告がＳ−ＴＴＩ  ＰＤＣＣＨ（ｐｈｙｓｉｃａｌ  ｄｏｗｎｌｉｎｋ  ｃｏｎｔｒｏｌ  ｃｈａｎｎｅｌ）上でトリガリングされた場合、前記Ｓ−ＴＴＩ単位で前記ＣＳＩレファレンスリソースが選択されることができる。または、例えば、前記ＣＳＩ報告がＳ−ＴＴＩ関連ＣＳＩ報告トリガリングＤＣＩによりトリガリングされた場合、前記Ｓ−ＴＴＩ単位で前記ＣＳＩレファレンスリソースが選択されることができる。または、例えば、前記ＣＳＩ報告がＳ−ＴＴＩ  ＰＵＳＣＨ（Ｐｈｙｓｉｃａｌ  Ｕｐｌｉｎｋ  Ｓｈａｒｅｄ  Ｃｈａｎｎｅｌ）またはＰＵＣＣＨ（Ｐｈｙｓｉｃａｌ  Ｕｐｌｉｎｋ  Ｃｏｎｔｒｏｌ  Ｃｈａｎｎｅｌ）を介して送信される場合、前記Ｓ−ＴＴＩ単位で前記ＣＳＩレファレンスリソースが選択されることができる。または、例えば、前記ＣＳＩ報告関連ＣＳＩレファレンスリソースタイミングは、Ｓ−ＴＴＩ単位でカウンティングされることができる。
【０１０３】
整理すると、Ｓ−ＴＴＩ動作時、ＣＳＩ報告がトリガリングされる場合、Ｓ−ＴＴＩ単位のＣＳＩ  ＲＥＦＥＲＥＮＣＥ  ＲＥＳＯＵＲＣＥが使われるだけでなく、ＣＳＩ  ＲＥＦＥＲＥＮＣＥ  ＲＥＳＯＵＲＣＥ  ＤＥＴＥＲＭＩＮＡＴＩＯＮ  ＴＩＭＥＬＩＮＥ（Ｎ＿ＣＱＩ＿ＲＥＦ）もＳ−ＴＴＩ単位でカウンティングされることができる。ここで、サービングセルに対するＣＳＩレファレンスリソースに対する内容をより具体的に説明すると、下記の通りである。
【０１０４】
時間ドメインで、非ＢＬ（Ｂａｎｄｗｉｄｔｈ−ｒｅｄｕｃｅｄ  Ｌｏｗ−ｃｏｍｐｌｅｘｉｔｙ）／ＣＥ（Ｃｏｖｅｒａｇｅ  Ｅｎｈａｎｃｅｄ）端末に対して、送信モード１−９またはサービングセルに対して単一設定されたＣＳＩプロセスを有する送信モード１０が設定された場合、ＣＳＩレファレンスリソースは、単一ダウンリンクスロット／サブスロットまたはスペシャルスロット／サブスロットＮ−Ｎ＿ＣＱＩ＿ＲＥＦに定義されることができる。ここで、Ｎは、（Ｓ−ＴＴＩベースの）ＣＳＩ報告が実行されるスロット／サブスロットインデックスを意味する。このとき、前のスロット／サブスロットは、前記説明したＳ−ＴＴＩを意味する。
【０１０５】
ここで、非周期的なＣＳＩリポーティングに対して、一例として、端末は、上位レイヤパラメータであるｃｓｉ−ＳｕｂｆｒａｍｅＰａｔｔｅｒｎＣｏｎｆｉｇ−ｒ１２が設定されない場合、ＦＤＤサービングセルまたはＴＤＤサービングセルに対して、Ｎ＿ＣＱＩ＿ＲＥＦは、アップリンクＤＣＩフォーマットで対応されるＣＳＩ要求と同じ有効ダウンリンクスロット／サブスロットまたはスペシャルサブフレーム内の有効スロットでのレファレンスリソースに従うことができる。
【０１０６】
端末がＳ−ＴＴＩ  ＧＲＡＮＵＬＡＲＩＴＹベースのＣＳＩ  ＲＥＦＥＲＥＮＣＥ  ＲＥＳＯＵＲＣＥ／ＣＳＩ  ＲＥＦＥＲＥＮＣＥ  ＲＥＳＯＵＲＣＥ  ＤＥＴＥＲＭＩＮＡＴＩＯＮ  ＴＩＭＥＬＩＮＥに沿う場合、端末がＣＳＩ導出をする時、Ｓ−ＴＴＩ別干渉変化が考慮された最新サンプルを利用することができるという利点がある。
【０１０７】
以後、端末は、決定された前記ＣＳＩレファレンスリソースに基づいて、特定時点のＣＳＩ報告を実行することができる（Ｓ１１２０）。ここで、端末が、決定された前記ＣＳＩレファレンスリソースに基づいて、特定Ｓ−ＴＴＩ時点のＣＳＩ報告を実行する具体的な例示は、後述する。
【０１０８】
別途に図示していないが、図１１の実施例は、前述した（または、後述する）実施例と結合（または、分離）されることもできる。
【０１０９】
例えば、図１１による端末は、図１３による実施例と結合されることもできる。一例として、図１１による端末は、Ｓ−ＴＴＩベースの通信が実行されるかどうかによって、事前に定義された制御チャネル関連オーバーヘッドを決定し、前記Ｓ−ＴＴＩベースの通信が実行される場合、前記事前に定義された制御チャネル関連オーバーヘッドは、レガシーＰＤＣＣＨ領域が含まれているＳ−ＴＴＩとレガシーＰＤＣＣＨ領域が含まれていないＳ−ＴＴＩとの間に同じく決定できる。以後、端末は、決定された前記事前に定義された制御チャネル関連オーバーヘッドに基づいて、前記ＣＱＩを送信することができる。
【０１１０】
例えば、図１１による端末は、図１５による実施例とも結合されることができる。一例として、図１１による端末は、ＤＣＩ（ｄｏｗｎｌｉｎｋ  ｃｏｎｔｒｏｌ  ｉｎｆｏｒｍａｔｉｏｎ）を受信し、前記ＤＣＩによりトリガリングされたＣＳＩをレポートし、前記ＣＳＩは、前記ＤＣＩを受信したサブフレームに対する送信モードに基づいてレポートされることができる。
【０１１１】
（規則＃Ｃ）特定（Ｓ−ＴＴＩ）時点のＣＳＩ報告関連ＣＳＩ  ＲＥＦＥＲＥＮＣＥ  ＲＥＳＯＵＲＣＥ（及び／または測定リソース）がＳ−ＴＴＩ（タイプ）（または、Ｌ−ＴＴＩ（タイプ））である場合、事前に設定（／シグナリング）された下記（一部）Ｓ−ＴＴＩ（または、リソース領域）は除外し、（最終）決定／測定を実行するようにすることができる。
【０１１２】
一例として、規則＃Ｃによると、下記のようにＣＳＩ  ＲＥＦＥＲＥＮＣＥ  ＲＥＳＯＵＲＣＥとして意味がないＳ−ＴＴＩ（または、リソース領域）は除外し、ＣＳＩ報告関連ＣＳＩ  ＲＥＦＥＲＥＮＣＥ  ＲＥＳＯＵＲＣＥを効率的に決定／測定できる。
【０１１３】
例）Ｌ−ＰＤＣＣＨ領域に含まれている（または、事前に設定（／シグナリング）された臨界比率以上に含まれている）Ｓ−ＴＴＩ
【０１１４】
例）Ｌ−ＰＤＣＣＨ領域
【０１１５】
例）Ｌ−ＰＤＣＣＨが含まれているＳ−ＴＴＩが、ＣＳＩ  ＲＥＦＥＲＥＮＣＥ  ＲＥＳＯＵＲＣＥ（候補）から除外されるか（または、（最終）測定動作に使われるか）どうかは、ＣＦＩ値によって（または、Ｓ−ＴＴＩを構成するシンボル個数によって）異なるように決定されることもできる。
【０１１６】
一例として、“ＣＦＩ＝１／３”の場合、一つのＬ−ＴＴＩ（ＤＬ）ＳＦを構成する６個のＳ−ＴＴＩは、各々、“３／２／２／２／２／３”個のシンボル（ＯＦＤＭ  ＳＹＭＢＯＬ（ＯＳ））で構成されることができる。ここで、“ＣＦＩ＝１”の場合には１番目のＳ−ＴＴＩ（３ＯＳ）がＣＳＩ  ＲＥＦＥＲＥＮＣＥ  ＲＥＳＯＵＲＣＥ（候補）として含まれ、それに対し、“ＣＦＩ＝３”の場合には除外されるように設定されることができる。また、“ＣＦＩ＝２”の場合、一つのＬ−ＴＴＩ（ＤＬ）ＳＦを構成する６個のＳ−ＴＴＩは、各々、“２／３／２／２／２／３”個のシンボルで構成されることができ、このとき、１番目のＳ−ＴＴＩ（２ＯＳ）は、ＣＳＩ  ＲＥＦＥＲＥＮＣＥ  ＲＥＳＯＵＲＣＥ（候補）から（常に）除外されるように設定されることができる。
【０１１７】
一例として、一つのＬ−ＴＴＩ（ＤＬ）ＳＦを構成する２個のＳ−ＴＴＩが各々“７／７”個のシンボルで構成された場合、１番目のＳ−ＴＴＩ（７ＯＳ）は、ＣＳＩ  ＲＥＦＥＲＥＮＣＥ  ＲＥＳＯＵＲＣＥ（候補）として（常に）含まれるように設定されることができる。
【０１１８】
例）事前に設定（／シグナリング）された参照信号（例えば、ＣＳＩ−ＲＳ（または、ＣＲＳまたはＤＭ−ＲＳ））または干渉測定リソース（例えば、ＩＭＲ）が含まれていないＳ−ＴＴＩ（または、リソース領域（例えば、シンボル））（例えば、このような場合、該当参照信号または干渉測定リソースが含まれているＳ−ＴＴＩ（または、リソース領域）のみがＣＳＩ  ＲＥＦＥＲＥＮＣＥ  ＲＥＳＯＵＲＣＥ（候補）と見なされる（または、（最終）測定に利用される）と解釈されることもできる）
【０１１９】
例）事前に設定（／シグナリング）された閾値より小さいシンボル個数で構成されたＳ−ＴＴＩ（または、Ｓ−ＴＴＩ  ＣＯＮＴＲＯＬ  ＣＨＡＮＮＥＬ  ＲＢ  ＳＥＴが、（Ｓ−ＴＴＩ上の全体リソース対比）占める比率が事前に設定（／シグナリング）された閾値より大きいＳ−ＴＴＩ）
【０１２０】
（規則＃Ｄ）（Ｓ−ＴＴＩ）端末は、ネットワーク（または、基地局）から、（Ａ）Ｓ−ＴＴＩ  ＣＳＩ報告（／生成／計算）関連（最小）プロセシングタイム（例えば、Ｓ−ＴＴＩ  ＣＳＩ報告時点とＣＳＩ  ＲＥＦＥＲＥＮＣＥ  ＲＥＳＯＵＲＣＥ時点間の（最小）間隔）と（Ｂ）Ｓ−ＴＴＩ制御情報（例えば、ＤＬ  ＧＲＡＮＴ）受信時点と該当制御情報／データ（例えば、Ｓ−ＰＤＳＣＨ）デコーディング及び（データ）Ａ／Ｎ情報生成／送信時点間の（最小）間隔（または、Ｓ−ＴＴＩ制御情報（例えば、ＵＬ  ＧＲＡＮＴ）受信時点と該当制御情報デコーディング及びデータ（例えば、Ｓ−ＰＵＳＣＨ）情報生成／送信時点間の（最小）間隔）が独立的に（または、異なるようにまたは同じく）設定（／シグナリング）されることもできる。ここで、一例として、該当規則は、事前に設定（／シグナリング）された特定ＴＭ（例えば、ＴＭ１０）ベースの通信が実行される時にのみ限定的に適用され、または事前に設定（／シグナリング）された閾値より多い（ＣＳＩ  ＰＲＯＣＥＳＳ）個数（／ビット）のＣＳＩを（同時に）報告する時にのみ限定的に適用されることもできる。
【０１２１】
例）端末は、（サービング）基地局に、事前に定義されたシグナリングを介して、前記（最小）時間間隔（／プロセシングタイム）関連自体のＣＡＰＡＢＩＬＩＴＹ情報を報告することもできる。
【０１２２】
例）前記Ｓ−ＴＴＩ  ＣＳＩ報告（／生成／計算）関連（最小）プロセシングタイムは、（Ａ）ＣＳＩ  ＲＥＦＥＲＥＮＣＥ  ＲＥＳＯＵＲＣＥに指定されたＳ−ＴＴＩを構成するＯＳ個数、または（Ｂ）Ｓ−ＴＴＩ  ＣＳＩ導出（／計算）時、Ｌ−ＴＴＩ上に設定（／シグナリング）された（全体）参照信号（ＰＯＲＴ）（または、ＩＭＲ）リソースの利用可否（または、（ＣＳＩ  ＲＥＦＥＲＥＮＣＥ  ＲＥＳＯＵＲＣＥに指定された）Ｓ−ＴＴＩ上に設定（／シグナリング）された（一部）参照信号（ＰＯＲＴ）（または、ＩＭＲ）リソース利用可否）などによって異なるように設定（／シグナリング）されることもできる。
【０１２３】
（規則＃Ｅ）ＣＳＩ  ＲＥＦＥＲＥＮＣＥ  ＲＥＳＯＵＲＣＥに指定されたＳ−ＴＴＩ（または、Ｌ−ＴＴＩ）の場合、ＣＱＩ  ＩＮＤＥＸ導出時に仮定するオーバーヘッドが、下記（一部）規則によって、（Ｌ−ＴＴＩと異なるように）（ネットワークにより）設定（／シグナリング）されることもできる。
【０１２４】
例）ＣＯＮＴＲＯＬ  ＳＩＧＮＡＬＩＮＧにより占有される（ＦＩＲＳＴ）ＯＳ個数
【０１２５】
一例として、該当ＯＳ個数は、（Ａ）Ｓ−ＴＴＩを構成するシンボル個数、または（Ｂ）Ｓ−ＴＴＩ上に設定されたＣＯＮＴＲＯＬ  ＣＨＡＮＮＥＬ  ＲＢ  ＳＥＴのタイプ（組み合わせ）（例えば、ＣＲＳ／ＤＭ−ＲＳデコーディングベースのＣＯＮＴＲＯＬ  ＣＨＡＮＮＥＬ  ＲＢ  ＳＥＴ）、または（Ｃ）（Ｓ−ＴＴＩ内で）ＣＯＮＴＲＯＬ  ＣＨＡＮＮＥＬ  ＲＢ  ＳＥＴが占めるシンボル個数別に異なるように（または、同じく）設定（／シグナリング）されることもできる。
【０１２６】
一例として、該当ＯＳ個数は、Ｌ−ＰＤＣＣＨが含まれているＳ−ＴＴＩとそうでないＳ−ＴＴＩとの間に同じく（または、異なるように）設定（／シグナリング）されることもできる。即ち、ＣＱＩ  ＩＮＤＥＸ導出時に仮定する事前に定義された制御チャネル（例えば、Ｌ−ＰＤＣＣＨ）関連オーバーヘッドが、Ｌ−ＰＤＣＣＨが含まれているＳ−ＴＴＩとそうでないＳ−ＴＴＩとの間に同じく（または、異なるように）設定（／シグナリング）されることができる。
【０１２７】
（規則＃Ｅ）に対する理解の便宜のために、前記内容を図面を介して説明すると、下記の通りである。
【０１２８】
まず、Ｌ−ＴＴＩ状況で、ＣＱＩ  ＩＮＤＥＸ導出時に仮定するオーバーヘッドの例示を図面を介して説明する。
【０１２９】
図１２は、Ｌ−ＴＴＩ状況で、ＣＱＩ  ＩＮＤＥＸ導出時に仮定するオーバーヘッドを決定する方法の例示を概略的に示す。
【０１３０】
図１２の例示によると、Ｌ−ＴＴＩは、総１４個のＯＳで構成され、端末がＬ−ＴＴＩに基づくＣＱＩインデックスを導出する時、レガシーＰＤＣＣＨ（即ち、Ｌ−ＰＤＣＣＨ）（または、制御シグナリング（ＣＯＮＴＲＯＬ  ＳＩＧＮＡＬＩＮＧ））により占有されたＯＦＤＭシンボルが（実際ＰＣＦＩＣＨにより指示されたＬ−ＰＤＣＣＨ  ＯＦＤＭシンボル個数にかかわらず）常に３個と仮定してこれを除外する。即ち、端末がＬ−ＴＴＩに基づくＣＱＩインデックスを導出する時、Ｌ−ＴＴＩの前端に位置する３個のＯＦＤＭシンボルは、（制御シグナリング（または、Ｌ−ＰＤＣＣＨ）オーバーヘッドに）常に除外されると仮定される。図１２の例示によると、端末は、ＯＳ＃０、ＯＳ＃１、ＯＳ＃２を制御シグナリング（または、Ｌ−ＰＤＣＣＨ）オーバーヘッドと仮定及び除外した後、Ｌ−ＴＴＩに基づくＣＱＩインデックスを導出する。
【０１３１】
以下、Ｓ−ＴＴＩ状況で、ＣＱＩ  ＩＮＤＥＸ導出時に仮定するオーバーヘッドを決定する方法に対して、図面を介して説明する。
【０１３２】
図１３は、本発明の一実施例に係る、Ｓ−ＴＴＩ状況で、ＣＱＩ  ＩＮＤＥＸ導出時に仮定するオーバーヘッドを決定する方法の流れ図である。
【０１３３】
図１３によると、端末は、Ｓ−ＴＴＩベースの通信が実行されるかどうかによって、（ＣＱＩ  ＩＮＤＥＸ導出時に仮定する）事前に定義された制御チャネル関連オーバーヘッドを決定することができる（Ｓ１３１０）。このとき、前記Ｓ−ＴＴＩベースの通信が実行される場合、前記事前に定義された制御チャネル関連オーバーヘッドは、レガシーＰＤＣＣＨ領域が含まれているＳ−ＴＴＩとレガシーＰＤＣＣＨ領域が含まれていないＳ−ＴＴＩとの間に同じく決定されることができる。前記端末は、レガシーＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）をサポートする端末である。併せて、このときの端末は、Ｓ−ＴＴＩだけでなく、Ｌ−ＴＴＩもサポートすることができる。
【０１３４】
ここで、例えば、前記事前に定義された制御チャネルはＰＤＣＣＨである。また、例えば、前記Ｌ−ＴＴＩは、複数のＳ−ＴＴＩを含むことができる。また、例えば、前記Ｌ−ＴＴＩは、１ｍｓである。
【０１３５】
また、例えば、前記Ｓ−ＴＴＩベースの通信が実行される場合、前記事前に定義された制御チャネル関連オーバーヘッドは、前記レガシーＰＤＣＣＨ領域が含まれているＳ−ＴＴＩベースのレファレンスリソースと前記レガシーＰＤＣＣＨ領域が含まれていないＳ−ＴＴＩベースのレファレンスリソースとの間に同じく決定されることができる。
【０１３６】
即ち、特定Ｓ−ＴＴＩがレガシーＰＤＣＣＨ領域を含んでいるかどうかにかかわらず、全てのＳ−ＴＴＩに対して、（事前に設定された）固定された制御チャネル（例えば、レガシーＰＤＣＣＨ）関連オーバーヘッドが仮定されることができ、これに対する例示は、下記のような例示を含むことができる。
【０１３７】
図１４は、特定Ｓ−ＴＴＩがレガシーＰＤＣＣＨ領域を含んでいるかどうかにかかわらず、全てのＳ−ＴＴＩに対して、（事前に設定された）固定された制御チャネル（例えば、レガシーＰＤＣＣＨ）関連オーバーヘッドが仮定される例示を概略的に示す。
【０１３８】
図１４（ａ）は、一つのＬ−ＴＴＩが二つのスロットを含む（即ち、Ｓ−ＴＴＩがスロット単位である）ものを示し、図１４（ｂ）は、一つのＬ−ＴＴＩが６個のサブスロット（即ち、Ｓ−ＴＴＩがサブスロット単位である）を含むものを示す。
【０１３９】
一例として、アップリンクＤＣＩフォーマット７−０Ａ／７−０Ｂ上のＣＳＩ要求フィールドがレポートをトリガするようにセッティングされ、端末がスロットベースの（Ｓ−ＴＴＩ）アップリンク送信に設定された場合、端末は、Ｓ−ＴＴＩに基づくＣＱＩインデックス導出のために、Ｓ−ＴＴＩレファレンスリソース上で利用可能なＲＥ個数を、既存Ｌ−ＴＴＩレファレンスリソース上の利用可能なＲＥ個数の半分と仮定する。ここで、ＤＣＩフォーマット７−０Ａ／７−０Ｂは、Ｓ−ＴＴＩ用ＤＣＩフォーマットであるため、アップリンクＤＣＩフォーマット７−０Ａ／７−０Ｂ上のＣＳＩ要求フィールドがレポートをトリガするようにセッティングされるということは、Ｓ−ＴＴＩベースのＣＳＩ報告がトリガリングされた場合を意味する。
【０１４０】
即ち、ＳＬＯＴ単位のＳ−ＴＴＩが設定された場合、既存１ＭＳ  ＳＦベースのＣＳＩ  ＲＥＦＥＲＥＮＣＥ  ＲＥＳＯＵＲＣＥ上で仮定されるＰＤＣＣＨ  ＯＶＥＲＨＥＡＤ  ＡＳＳＵＭＰＴＩＯＮの１／２が（実際ＳＬＯＴ  ＴＴＩがＰＤＣＣＨ領域を含んでいるかにかかわらず）全てのＳＬＯＴ  Ｓ−ＴＴＩ  ＣＳＩ  ＲＥＦＥＲＥＮＣＥ  ＲＥＳＯＵＲＣＥ上で同じく仮定されることを意味する。
【０１４１】
前記内容を図１４（ａ）の例示を介して説明すると、端末は、スロットベースのＳ−ＴＴＩ通信を実行する場合、レガシーＰＤＣＣＨ領域を含んでいる図１４（ａ）のＳｌｏｔ＃０またはレガシーＰＤＣＣＨ領域を含んでいない図１４（ａ）のＳｌｏｔ＃１にかかわらず、（事前に設定された）同じ量のレガシーＰＤＣＣＨ関連オーバーヘッドを仮定した後、Ｓ−ＴＴＩベースのＣＱＩインデックスを導出する。
【０１４２】
他の例として、アップリンクＤＣＩフォーマット７−０Ａ／７−０Ｂ上のＣＳＩ要求フィールドがレポートをトリガするようにセッティングされ、端末がサブスロットベースの（Ｓ−ＴＴＩ）アップリンク送信に設定された場合、端末は、Ｓ−ＴＴＩに基づくＣＱＩインデックス導出のために、Ｓ−ＴＴＩレファレンスリソース上で利用可能なＲＥ個数を、既存Ｌ−ＴＴＩレファレンスリソース上の利用可能なＲＥ個数の１／６と仮定する。
【０１４３】
即ち、ＳＵＢ−ＳＬＯＴ単位のＳ−ＴＴＩが設定された場合、既存１ＭＳ  ＳＦベースのＣＳＩ  ＲＥＦＥＲＥＮＣＥ  ＲＥＳＯＵＲＣＥ上で仮定されるＰＤＣＣＨ  ＯＶＥＲＨＥＡＤ  ＡＳＳＵＭＰＴＩＯＮの１／６が（実際ＳＵＢ−ＳＬＯＴ  ＴＴＩがＰＤＣＣＨ領域を含んでいるかにかかわらず）全てのＳＵＢ−ＳＬＯＴ  Ｓ−ＴＴＩ  ＣＳＩ  ＲＥＦＥＲＥＮＣＥ  ＲＥＳＯＵＲＣＥ上で同じく仮定されることを意味する。
【０１４４】
前記内容を図１４（ｂ）の例示を介して説明すると、端末は、サブスロットベースのＳ−ＴＴＩ通信を実行する場合、レガシーＰＤＣＣＨ領域を含んでいる図１４（ｂ）のＳｕｂｓｌｏｔ＃０またはレガシーＰＤＣＣＨ領域を含んでいない図１４（ｂ）のＳｕｂｓｌｏｔ＃１、Ｓｕｂｓｌｏｔ＃２、Ｓｕｂｓｌｏｔ＃３、Ｓｕｂｓｌｏｔ＃４、Ｓｕｂｓｌｏｔ＃５にかかわらず、（事前に設定された）同じ量のレガシーＰＤＣＣＨ関連オーバーヘッドを仮定した後、Ｓ−ＴＴＩベースのＣＱＩインデックスを導出する。
【０１４５】
再び、図１３を参照すると、端末は、以後、決定された前記事前に定義された制御チャネル関連オーバーヘッドに基づいて、前記ＣＱＩを送信することができる（Ｓ１３２０）。
【０１４６】
例えば、端末は、アップリンクサブフレームｎで送信されるＣＱＩインデックスを事前に定義された規則によって導出することができる。例えば、該当ＣＱＩインデックスは、以下の表１及び表２でのＣＱＩインデックスのうち事前に定義された条件を満たすＣＱＩインデックスのうち最も高いＣＱＩインデックスを意味し、該当条件は、（ＣＱＩインデックスに対応する変調方式及び送信ブロックサイズ、ＣＳＩレファレンスリソース上で利用可能なリソース量などを考慮し）単一ＰＤＳＣＨ送信ブロックが０．１（１０％）を超過しない送信ブロック誤謬確率で受信されることを意味する。
【０１４７】
または、例えば、端末は、ＣＱＩインデックス１が前記条件を満たさない場合、ＣＱＩインデックス０をアップリンクサブフレームｎで送信できる。
【０１４８】
このとき、各々の表に対する説明は、下記の通りである。
【０１４９】
【表１】
2020519205.tif 000003
【０１５０】
【表２】
2020519205.tif 000004
【０１５１】
前記のように、（Ｓ−ＴＴＩに基づく）ＣＱＩ  ＩＮＤＥＸ導出時に仮定する制御チャネル関連オーバーヘッドが、Ｌ−ＰＤＣＣＨが含まれているＳ−ＴＴＩとそうでないＳ−ＴＴＩとの間に同じく設定される場合、次のような効果がある。一例として、（Ｓ−ＴＴＩに基づく）ＣＱＩ  ＩＮＤＥＸ導出時に仮定する制御チャネル関連オーバーヘッドが、Ｌ−ＰＤＣＣＨが含まれているＳ−ＴＴＩとそうでないＳ−ＴＴＩとの間に異なるように設定される場合、例えば、レガシーＰＤＣＣＨ領域が含まれる１番目のＳ−ＴＴＩは、低いＣＱＩ値が決定されるようになり、レガシーＰＤＣＣＨ領域が含まれていない２番目のＳ−ＴＴＩは、高いＣＱＩ値が決定されるとのように、ＣＱＩ値の計算が複雑になることができる。それに対し、（Ｓ−ＴＴＩに基づく）ＣＱＩ  ＩＮＤＥＸ導出時に仮定する制御チャネル関連オーバーヘッドが、Ｌ−ＰＤＣＣＨが含まれているＳ−ＴＴＩとそうでないＳ−ＴＴＩとの間に同じく設定される場合、ＣＱＩ値の計算が単純化されることができる。即ち、（Ｓ−ＴＴＩに基づく）ＣＱＩ  ＩＮＤＥＸ導出時に仮定する制御チャネル関連オーバーヘッドが、Ｌ−ＰＤＣＣＨが含まれているＳ−ＴＴＩとそうでないＳ−ＴＴＩとの間に同じく設定される場合、端末具現が簡単化されることができる。
【０１５２】
別途に図示していないが、図１３の実施例は、前述した（または、後述する）実施例と結合（または、分離）されることもできる。
【０１５３】
例えば、図１３による端末は、図１１による実施例と結合されることもできる。一例として、図１３による端末は、前記ＣＳＩ報告関連ＣＳＩレファレンスリソースを選択し、前記端末は、前記Ｓ−ＴＴＩ単位で前記ＣＳＩレファレンスリソースを選択し、前記ＣＳＩレファレンスリソースに基づいて前記ＣＳＩ報告を実行することができる。
【０１５４】
例えば、図１３による端末は、図１５による実施例とも結合されることができる。一例として、図１３による端末は、ＤＣＩ（ｄｏｗｎｌｉｎｋ  ｃｏｎｔｒｏｌ  ｉｎｆｏｒｍａｔｉｏｎ）を受信し、前記ＤＣＩによりトリガリングされたＣＳＩをレポートし、前記ＣＳＩは、前記ＤＣＩを受信したサブフレームに対する送信モードに基づいてレポートされることができる。
【０１５５】
一例として、該当ＯＳ個数は、Ｓ−ＴＴＩ内で、ＣＯＮＴＲＯＬ  ＣＨＡＮＮＥＬ  ＲＢ  ＳＥＴが占めるシンボル個数と同じであると見なされる（／シグナリングされる）こともできる。
【０１５６】
一例として、該当ＯＳ個数は、単純化のために、一つのＬ−ＴＴＩ（ＤＬ）ＳＦを構成する（Ｌ−ＰＤＣＣＨが含まれているＳ−ＴＴＩを除外した）Ｓ−ＴＴＩ上に設定されたＣＯＮＴＲＯＬ  ＣＨＡＮＮＥＬ  ＲＢ  ＳＥＴが占めるシンボル個数のうち、最大値（または、最小値）と見なされる（／シグナリングされる）こともできる。
【０１５７】
例）（Ｌ−ＰＤＣＣＨが含まれていない）Ｓ−ＴＴＩの場合、ＣＯＮＴＲＯＬ  ＣＨＡＮＮＥＬ  ＲＢ  ＳＥＴが占める（時間／周波数）リソース領域のみが、（ＣＱＩ  ＩＮＤＥＸ導出時に考慮する）オーバーヘッドに指定されることができる。
【０１５８】
一例として、Ｌ−ＰＤＣＣＨが含まれているＳ−ＴＴＩの場合、既存（ＬＥＧＡＣＹ）Ｌ−ＴＴＩと同じ（ＣＯＮＴＲＯＬ  ＳＩＧＮＡＬＩＮＧ）（ＦＩＲＳＴ）ＯＳ個数（または、Ｓ−ＴＴＩベースの通信を実行する端末に追加的に設定（／シグナリング）されたＯＳ個数）がオーバーヘッドに指定されることもできる。
【０１５９】
例）事前に設定（／シグナリング）された種類（／大きさ）の（Ａ）参照信号（例えば、ＣＲＳ、ＣＳＩ−ＲＳ、ＤＭ−ＲＳ）、または（Ｂ）干渉測定リソース（例えば、ＩＭＲ）がオーバーヘッドに指定されることもできる。
【０１６０】
一例として、参照信号（または、干渉測定リソース）オーバーヘッド考慮可否（または、量）は、（Ａ）Ｓ−ＴＴＩを構成するシンボル個数、または（Ｂ）Ｌ−ＰＤＣＣＨが含まれている（または、含まれていない）Ｓ−ＴＴＩ、または（Ｃ）Ｓ−ＴＴＩ上に設定されたＣＯＮＴＲＯＬ  ＣＨＡＮＮＥＬ  ＲＢ  ＳＥＴのタイプ（組み合わせ）、または（Ｄ）（Ｓ−ＴＴＩ内で）ＣＯＮＴＲＯＬ  ＣＨＡＮＮＥＬ  ＲＢ  ＳＥＴが占めるシンボル個数などによって、異なるように（または、同じく）設定（／シグナリング）されることもできる。
【０１６１】
一例として、全てのＳ−ＴＴＩに参照信号（または、干渉測定リソース）が存在しない場合もあるため、参照信号（または、干渉測定リソース）オーバーヘッドは、Ｓ−ＴＴＩ上に実際に存在（／送信）する時のみが（（該当）Ｓ−ＴＴＩ上に含まれる参照信号（または、干渉測定リソース）ＰＯＲＴＩＯＮのみをまたは（該当用途で）事前に設定（／シグナリング）されたＰＯＲＴ個数（または、ＲＡＮＫ）の参照信号（／干渉測定リソース）を）（限定的に）考慮されるように定義（または、Ｓ−ＴＴＩ上での存在（／送信）可否にかかわらず考慮されるように定義）されることもできる。
【０１６２】
例）任意のＳ−ＴＴＩ上の参照信号オーバーヘッド（例えば、ＣＲＳ）は、該当Ｓ−ＴＴＩが属するＬ−ＴＴＩを構成するＳ−ＴＴＩ別（含まれている）参照信号オーバーヘッド（ＰＯＲＴＩＯＮ）のうち、最大値（または、最小値または事前に設定（／シグナリング）された（ＰＯＲＴ個数に該当する）特定値）と仮定されることもできる。
【０１６３】
一例として、ＣＳＩ−ＲＳオーバーヘッドが考慮される場合、（Ｌ−ＴＴＩ上に設定（／シグナリング）された（全体）ＣＳＩ−ＲＳ  ＰＯＲＴ（Ｓ）のうち）Ｓ−ＴＴＩのために設定（／シグナリング）された（一部個数の）ＣＳＩ−ＲＳ  ＰＯＲＴ（Ｓ）（例えば、Ｓ−ＴＴＩチャネル測定用途）と連動されたリソース（例えば、ＲＥ）のみを仮定（及び／またはＬ−ＴＴＩ上の（全体）ＣＳＩ−ＲＳ  ＰＯＲＴ（Ｓ）と連動されたリソースを仮定）（または、該当用途で事前に設定（／シグナリング）されたＰＯＲＴ個数のＣＳＩ−ＲＳリソースを仮定）するようにすることもできる。ここで、一例として、（同時（または、共に）トリガリングされた）Ｌ−ＴＴＩ  ＣＳＩ報告とＳ−ＴＴＩ  ＣＳＩ報告関連ＣＳＩ  ＲＥＦＥＲＥＮＣＥ  ＲＥＳＯＵＲＣＥ（Ｓ）が（一部または全て）重なる場合（例えば、Ｌ−ＴＴＩ  ＣＳＩ／Ｓ−ＴＴＩ  ＣＳＩの報告時点は重ならない）またはＬ−ＴＴＩ  ＣＳＩ報告とＳ−ＴＴＩ  ＣＳＩ報告が（共に）設定された場合、（例外的に）Ｓ−ＴＴＩ関連ＣＳＩ−ＲＳオーバーヘッドは、Ｓ−ＴＴＩのために設定（／シグナリング）された（一部個数の）ＣＳＩ−ＲＳ  ＰＯＲＴ（Ｓ）と連動されたリソースのみを仮定（及び／またはＬ−ＴＴＩ上の（全体）ＣＳＩ−ＲＳ  ＰＯＲＴ（Ｓ）と連動されたリソースを仮定）（例えば、Ｌ−ＴＴＩとＳ−ＴＴＩとの間に重なるＣＳＩ−ＲＳリソース（／オーバーヘッド）は、重複カウンティングしない）（または、該当用途で事前に設定（／シグナリング）されたＰＯＲＴ個数のＣＳＩ−ＲＳリソースを仮定）するようにすることもできる。
【０１６４】
一例として、ＤＭ−ＲＳオーバーヘッドが考慮される場合、（最も）最近Ｓ−ＴＴＩ  ＣＳＩ（及び／またはＬ−ＴＴＩ  ＣＳＩ）で報告したＲＡＮＫと同じＰＯＲＴ個数のＤＭ−ＲＳリソース（例えば、ＲＥ）（または、該当用途で事前に設定（／シグナリング）されたＰＯＲＴ個数（または、ＲＡＮＫ）のＤＭ−ＲＳリソース）と仮定するようにすることもできる（例えば、該当規則は、Ｓ−ＴＴＩのために設定（／シグナリング）されたＣＳＩ−ＲＳ  ＰＯＲＴ個数が２個以上である時にのみ限定的に適用されることができる）。ここで、一例として、（同時（または、共に）トリガリングされた）Ｌ−ＴＴＩ  ＣＳＩ報告とＳ−ＴＴＩ  ＣＳＩ報告関連ＣＳＩ  ＲＥＦＥＲＥＮＣＥ  ＲＥＳＯＵＲＣＥ（Ｓ）が（一部または全て）重なる場合（例えば、Ｌ−ＴＴＩ  ＣＳＩ／Ｓ−ＴＴＩ  ＣＳＩの報告時点は重ならない）またはＬ−ＴＴＩ  ＣＳＩ報告とＳ−ＴＴＩ  ＣＳＩ報告が（共に）設定された場合、（例外的に）Ｓ−ＴＴＩ関連ＤＭ−ＲＳオーバーヘッドは、（最も）最近Ｓ−ＴＴＩ  ＣＳＩ（及び／またはＬ−ＴＴＩ  ＣＳＩ）で報告したＲＡＮＫと同じＰＯＲＴ個数のＤＭ−ＲＳリソースを仮定（例えば、Ｌ−ＴＴＩとＳ−ＴＴＩとの間に重なるＤＭ−ＲＳリソース（／オーバーヘッド）は、重複カウンティングしない）（または、該当用途で事前に設定（／シグナリング）されたＰＯＲＴ個数（または、ＲＡＮＫ）のＤＭ−ＲＳリソースを仮定）するようにすることもできる。
【０１６５】
一例として、ネットワーク（または、基地局）は、Ｌ−ＴＴＩ  ＣＳＩ報告とＳ−ＴＴＩ  ＣＳＩ報告関連ＣＳＩ  ＲＥＦＥＲＥＮＣＥ  ＲＥＳＯＵＲＣＥ（Ｓ）が（一部または全て）重ならないように（例えば、Ｌ−ＴＴＩ  ＣＳＩ／Ｓ−ＴＴＩ  ＣＳＩの報告時点は重ならない）、Ｌ−ＴＴＩ／Ｓ−ＴＴＩ  ＣＳＩ報告トリガリング（／動作）を運営することができる（即ち、このような規則が適用される場合、端末は、Ｌ−ＴＴＩ  ＣＳＩ報告とＳ−ＴＴＩ  ＣＳＩ報告関連ＣＳＩ  ＲＥＦＥＲＥＮＣＥ  ＲＥＳＯＵＲＣＥ（Ｓ）が（一部または全て）重なることを期待しない）。
【０１６６】
（規則＃Ｏ）（Ｓ−ＴＴＩチャネル（例えば、Ｓ−ＰＵＳＣＨ）を介した（非周期的）（Ｓ−ＴＴＩ）ＣＳＩ報告関連）ＣＳＩ  ＲＥＦＥＲＥＮＣＥ  ＲＥＳＯＵＲＣＥがＬ−ＴＴＩ単位（例えば、１ＭＳ）で設定された場合、ＣＱＩ  ＩＮＤＥＸ導出関連ＤＭ−ＲＳオーバーヘッドを、該当（Ｌ−ＴＴＩ）ＣＳＩ  ＲＥＦＥＲＥＮＣＥ  ＲＥＳＯＵＲＣＥを構成する（Ａ）Ｓ−ＴＴＩ別ＤＭ−ＲＳオーバーヘッドの全体和と仮定するようにし、または（Ｂ）事前に定義されたＳ−ＴＴＩ個数（／位置）のＤＭ−ＲＳオーバーヘッド和のみと仮定するようにし、または（Ｃ）Ｌ−ＴＴＩ（ＣＳＩ報告関連）関連ＤＭ−ＲＳオーバーヘッドと仮定するようにすることができる。ここで、一例として、Ｓ−ＴＴＩ別ＤＭ−ＲＳオーバーヘッド（または、Ｌ−ＴＴＩ  ＤＭ−ＲＳオーバーヘッド）は、（Ａ）（最も）最近Ｓ−ＴＴＩ  ＣＳＩ（または、Ｌ−ＴＴＩ  ＣＳＩ）で報告したＲＡＮＫと同じＰＯＲＴ個数のＤＭ−ＲＳリソース（例えば、ＲＥ）と仮定するようにし、または該当用途で事前に設定（／シグナリング）された（Ｓ−ＴＴＩまたはＬ−ＴＴＩ）ＰＯＲＴ個数（または、ＲＡＮＫ）のＤＭ−ＲＳリソースと仮定するようにすることもできる。
【０１６７】
また、一例として、下記提案方式は、（Ｌ−ＴＴＩだけでなく）Ｓ−ＴＴＩベースの通信が（同時に）設定（／シグナリング）された端末に、事前に定義されたＳＦ  ＴＹＰＥ（または、ＳＦ  ＳＥＴ）別に、Ｓ−ＴＴＩ関連ＴＭが独立的に（または、異なるように）設定（／シグナリング）される場合、効率的な（非周期的）（Ｓ−ＴＴＩ）ＣＳＩ報告／トリガリング方法を提示する。ここで、一例として、該当ＳＦ  ＴＹＰＥ（または、ＳＦ  ＳＥＴ）は、“ＭＢＳＦＮ  ＳＦ  ＴＹＰＥ（ＭＢＳＦＮ＿ＳＦ）”と“ＮＯＮ−ＭＢＳＦＮ  ＳＦ  ＴＹＰＥ（ＮＭＢＳＦＮ＿ＳＦ）”に区分されることができる。具体的な一例として、（Ａ）ＮＭＢＳＦＮ＿ＳＦ上では（データ送信に使用することができるリソース（例えば、ＲＥ）対比）（相対的に）高いＤＭ−ＲＳオーバーヘッドを考慮してＣＲＳベースのデコーディングが実行されるＴＭ（例えば、ＴＭ４）が設定（／シグナリング）されることができ、それに対し、（Ｂ）ＭＢＳＦＮ＿ＳＦ上では（ＬＥＧＡＣＹ  ＰＤＳＣＨ領域に）ＣＲＳ送信がないことを考慮（例えば、データ送信に使用することができるリソース対比ＤＭ−ＲＳオーバーヘッドが相対的に低くなる）し、ＤＭ−ＲＳベースのデコーディングが実行されるＴＭ（例えば、ＴＭ９／１０）が設定（／シグナリング）されることもできる。ここで、一例として、Ｌ−ＴＴＩ関連ＴＭは、Ｓ−ＴＴＩのものと独立的に（または、異なるように）設定（／シグナリング）されることもできる。
【０１６８】
（規則＃Ｋ）（非周期的）（Ｓ−ＴＴＩ）ＣＳＩトリガリングＤＣＩ（例えば、Ｓ−ＰＤＣＣＨ）上に、どのような（Ｓ−ＴＴＩ）ＴＭ（または、ＳＦ  ＴＹＰＥ）関連報告をトリガリングするかに対する指示子（フィールド）が定義されることができる。ここで、一例として、該当指示子（フィールド）は、“１ビット”に定義（例えば、該当指示子が“１”である場合は、ＭＢＳＦＮ＿ＳＦ（ＴＭ）関連（Ｓ−ＴＴＩ）ＣＳＩ報告トリガリングを意味し、“０”である場合は、ＮＭＢＳＦＮ＿ＳＦ（ＴＭ）関連（Ｓ−ＴＴＩ）ＣＳＩ報告を意味する）されることもできる。
【０１６９】
（規則＃Ｌ）（非周期的）（Ｓ−ＴＴＩ）ＣＳＩトリガリングＤＣＩ（例えば、Ｓ−ＰＤＣＣＨ）が受信されるＳ−ＴＴＩが、どのようなＳＦ  ＴＹＰＥに属するかによって（または、（非周期的）（Ｓ−ＴＴＩ）ＣＳＩ報告がどのようなＳＦ  ＴＹＰＥに属するＳ−ＴＴＩチャネル（例えば、Ｓ−ＰＵＳＣＨ／ＰＵＣＣＨ）を介して実行されるかによって）、端末をして、どのような（Ｓ−ＴＴＩ）ＴＭ（または、ＳＦ  ＴＹＰＥ）関連報告がトリガリングされたかを暗黙的に把握せしめることもできる。ここで、一例として、該当（Ｓ−ＴＴＩ）ＣＳＩトリガリングＤＣＩがＭＢＳＦＮ＿ＳＦ上のＳ−ＴＴＩで受信された場合（または、（Ｓ−ＴＴＩ）ＣＳＩ報告がＭＢＳＦＮ＿ＳＦ上のＳ−ＴＴＩチャネルを介して実行される場合）には、ＭＢＳＦＮ＿ＳＦ（ＴＭ）関連（Ｓ−ＴＴＩ）ＣＳＩ報告がトリガリングされたと仮定（／解釈）し、それに対し、ＮＭＢＳＦＮ＿ＳＦ上のＳ−ＴＴＩで受信された場合（または、（Ｓ−ＴＴＩ）ＣＳＩ報告がＮＭＢＳＦＮ＿ＳＦ上のＳ−ＴＴＩチャネルを介して実行される場合）には、ＮＭＢＳＦＮ＿ＳＦ（ＴＭ）関連（Ｓ−ＴＴＩ）ＣＳＩ報告がトリガリングされたと仮定（／解釈）するようにすることもできる。
【０１７０】
理解の便宜のために、（規則＃Ｌ）の例をより具体的に説明すると、下記の通りである。
【０１７１】
従来はＭＢＳＦＮ  ＳＦまたはＮＯＮ−ＭＢＳＦＮＳＦにかかわらず、ＣＯＭＭＯＮ  ＴＭベースのデータ通信及びＣＳＩ報告が設定された。
【０１７２】
それによって、従来はＭＢＳＦＮサブフレームでない場合にも、ＭＢＳＦＮサブフレーム上の通信のために、ＤＭ−ＲＳベースのデコーディングが実行されるＴＭ（例えば、ＴＭ９／１０）が設定（／シグナリング）されることができた。
【０１７３】
Ｓ−ＴＴＩの場合、ＴＴＩを構成するシンボル個数が減少され、ＤＭ−ＲＳが占めるＯＶＥＲＨＥＡＤ比重が増加するようになる問題点が発生できる。
【０１７４】
前記のような問題点を解決するために、Ｓ−ＴＴＩベースの通信が設定された場合、ＭＢＳＦＮ  ＳＦとＮＯＮ−ＭＢＳＦＮ  ＳＦとの間に異なるＴＭ設定が許容された。以下、該当状況下で、基地局と端末との間に、“Ｓ−ＴＴＩ関連非周期的ＣＳＩ報告トリガリング”がどのようなＴＭをターゲットとするかを明確にするために、“Ｓ−ＴＴＩ関連非周期的ＣＳＩ報告トリガリングＤＣＩ”が受信されるＳ−ＴＴＩが、どのようなＳＦタイプ（例えば、ＭＢＳＦＮ  ＳＦ、ＮＯＮ−ＭＢＳＦＮ  ＳＦ）に属するかによって、該当ＳＦタイプと連動されたＴＭ関連（Ｓ−ＴＴＩ）ＣＳＩ情報を報告するように定義する方法を提供する。
【０１７５】
図１５は、本発明の一実施例に係る、決定された送信モードに基づいてＣＳＩ報告を実行する方法の流れ図である。
【０１７６】
図１５によると、端末は、ＤＣＩ（ｄｏｗｎｌｉｎｋ  ｃｏｎｔｒｏｌ  ｉｎｆｏｒｍａｔｉｏｎ）を受信することができる（Ｓ１５１０）。前記端末は、レガシーＴＴＩ（ｌｅｇａｃｙ  ｔｒａｎｓｍｉｓｓｉｏｎ  ｔｉｍｅ  ｉｎｔｅｒｖａｌ；Ｌ−ＴＴＩ）に比べて相対的に短いＴＴＩ（ｓｈｏｒｔ  ｔｒａｎｓｍｉｓｓｉｏｎ  ｔｉｍｅ  ｉｎｔｅｒｖａｌ；Ｓ−ＴＴＩ）をサポートする端末である。併せて、このときの端末は、Ｓ−ＴＴＩだけでなく、Ｌ−ＴＴＩもサポートすることができる。
【０１７７】
ここで、端末が受信するＤＣＩは、（非周期的）（Ｓ−ＴＴＩ）ＣＳＩ報告トリガリングＤＣＩ（例えば、Ｓ−ＰＤＣＣＨ）である。
【０１７８】
以後、端末は、前記ＤＣＩによりトリガリングされたＣＳＩをレポートすることができる（Ｓ１５２０）。このとき、前記ＣＳＩは、前記ＤＣＩを受信したサブフレームに対する送信モードに基づいてレポートされることができる。
【０１７９】
ここで、例えば、前記ＣＳＩは、前記ＤＣＩを受信したＳ−ＴＴＩが属する前記サブフレームに対する送信モードに基づいてレポートされることができる。または、例えば、前記サブフレームのタイプは、ＭＢＳＦＮ（Ｍｕｌｔｉｃａｓｔ  Ｂｒｏａｄｃａｓｅ  Ｓｉｎｇｌｅ  Ｆｒｅｑｕｅｎｃｙ  Ｎｅｔｗｏｒｋ）サブフレームタイプまたはＮＭＢＳＦＮ（ｎｏｎ−ＭＢＳＦＮ）サブフレームタイプのうち一つである。または、例えば、前記サブフレームのタイプが前記ＭＢＳＦＮサブフレームタイプである場合と、前記サブフレームのタイプが前記ＮＭＢＳＦＮサブフレームタイプである場合は、互いに異なる送信モードが設定されることができる。
【０１８０】
より具体的に、アップリンクＤＣＩフォーマット７−０Ａ／７−０Ｂ上のＣＳＩ要求フィールドがレポートをトリガするようにセッティングされると、報告されるＣＳＩは、該当ＤＣＩフォーマットが受信されたサブフレームに対して、上位レイヤにより設定された送信モードに従うことができる。即ち、報告されるＣＳＩは、前記ＣＳＩ報告トリガリングＤＣＩが受信されるＳ−ＴＴＩが属するサブフレームタイプの送信モードに従うことができる。ここで、ＤＣＩフォーマット７−０Ａ／７−０Ｂは、Ｓ−ＴＴＩ用ＤＣＩフォーマットであるため、アップリンクＤＣＩフォーマット７−０Ａ／７−０Ｂ上のＣＳＩ要求フィールドがレポートをトリガするようにセッティングされるということは、Ｓ−ＴＴＩベースのＣＳＩ報告がトリガリングされた場合を意味する。
【０１８１】
ここで、ＣＳＩ報告と、送信モードの相関関係に対する例を図面を介して説明すると、下記の通りである。
【０１８２】
図１６は、ＣＳＩ報告と、送信モードの相関関係に対する例を概略的に示す。
【０１８３】
図１６によると、端末は、Ｌ−ＴＴＩ＃０上の特定Ｓ−ＴＴＩで、Ｓ−ＴＴＩ  ＣＳＩ報告トリガリングＤＣＩを受信することができる。ここで、端末により送信されるＣＳＩ報告は、前記Ｌ−ＴＴＩ＃０に対して設定された送信モードに従うことができる。
【０１８４】
即ち、前記Ｌ−ＴＴＩ＃０のサブフレームタイプがＭＢＳＦＮサブフレームタイプである場合、ＣＳＩ報告は、ＭＢＳＦＮサブフレームタイプによる、送信モードに従うことができる。例えば、前記Ｌ−ＴＴＩ＃０のサブフレームタイプがＭＢＳＦＮである場合、ＣＳＩ報告は、ＴＭ９またはＴＭ１０に従うことができる。
【０１８５】
または、前記Ｌ−ＴＴＩ＃０のサブフレームタイプがＭＢＳＦＮサブフレームタイプでない場合（即ち、ＮＭＢＳＦＮサブフレームタイプである場合）、ＣＳＩ報告は、ＮＭＢＳＦＮサブフレームタイプによる送信モードに従うことができる。例えば、前記Ｌ−ＴＴＩ＃０のサブフレームタイプがＮＭＢＳＦＮである場合、ＣＳＩ報告は、ＴＭ４に従うこともできる。
【０１８６】
送信モードに対する例示は、以下の表３の通りである。
【０１８７】
【表３−１】
2020519205.tif 000005
【０１８８】
【表３−２】
2020519205.tif 000006
【０１８９】
【表３−３】
2020519205.tif 000007
【０１９０】
【表３−４】
2020519205.tif 000008
【０１９１】
別途に図示していないが、図１５の実施例は、前述した（または、後述する）実施例と結合（または、分離）されることもできる。例えば、図１５による端末は、図１１による実施例と結合されることもできる。一例として、図１５による端末は、前記ＣＳＩ報告関連ＣＳＩレファレンスリソースを選択し、前記端末は、前記Ｓ−ＴＴＩ単位で前記ＣＳＩレファレンスリソースを選択し、前記ＣＳＩレファレンスリソースに基づいて前記ＣＳＩ報告を実行することができる。
【０１９２】
例えば、図１５による端末は、図１３による実施例とも結合されることができる。一例として、図１５による端末は、Ｓ−ＴＴＩベースの通信が実行されるかどうかによって、事前に定義された制御チャネル関連オーバーヘッドを決定し、前記Ｓ−ＴＴＩベースの通信が実行される場合、前記事前に定義された制御チャネル関連オーバーヘッドは、レガシーＰＤＣＣＨ領域が含まれているＳ−ＴＴＩとレガシーＰＤＣＣＨ領域が含まれていないＳ−ＴＴＩとの間に同じく決定し、決定された前記事前に定義された制御チャネル関連オーバーヘッドに基づいて、ＣＱＩを送信することができる。
【０１９３】
（規則＃Ｍ）ＳＦ  ＴＹＰＥ（または、ＳＦ  ＳＥＴ）別ＴＭ（及び／またはＬ−ＴＴＩ関連ＴＭ）のうち、事前に（非周期的）（Ｓ−ＴＴＩ）ＣＳＩ報告関連代表ＴＭが設定（／シグナリング）され、端末をして、（非周期的）（Ｓ−ＴＴＩ）ＣＳＩトリガリングＤＣＩ（例えば、Ｓ−ＰＤＣＣＨ）が受信される場合、該当代表ＴＭに対するＣＳＩ情報報告を（常に）実行せしめることができる。ここで、一例として、代表ＴＭは、ＭＢＳＦＮ＿ＳＦＴＭ（または、ＮＭＢＳＦＮ＿ＳＦ  ＴＭまたはＬ−ＴＴＩ関連ＴＭ）に設定（／シグナリング）されることもできる。また、一例として、前記説明した（一部）規則（例えば、規則＃Ｋ／Ｌ／Ｍ）上で、（非周期的）（Ｓ−ＴＴＩ）ＣＳＩ報告関連“ＣＳＩ  ＲＥＦＥＲＥＮＣＥ  ＲＥＳＯＵＲＣＥ  ＤＥＴＥＲＭＩＮＡＴＩＯＮ  ＴＩＭＥＬＩＮＥ”は、該当ＣＳＩ情報がどのようなＴＭに関連するかによって、（異なるようにまたは独立的に）決定されることができる。
【０１９４】
（規則＃Ｎ）基地局は、端末から、同時に何個の（Ｓ−ＴＴＩ及び／またはＬ−ＴＴＩ）（ＤＬ及び／またはＵＬ）ＴＭサポートが可能かに対するＣＡＰＡＢＩＬＩＴＹ情報の報告を受けた後、これに基づいてＳＦ  ＴＹＰＥ（または、ＳＦ  ＳＥＴ）別異なる（ＤＬ及び／またはＵＬ）Ｓ−ＴＴＩ関連ＴＭ設定可否（及び／またはＳ−ＴＴＩ／Ｌ−ＴＴＩ間の異なるＴＭ設定可否及び／または特定ＳＦ  ＴＹＰＥ（または、ＳＦ  ＳＥＴ）のＳ−ＴＴＩ関連ＴＭとＬ−ＴＴＩ関連ＴＭとの間の一致可否）を最終的に判断するようにすることもできる。ここで、一例として、もし、端末が２個のＤＬ  ＴＭを同時にサポート可能であると報告した場合、基地局は、ＭＢＳＦＮ＿ＳＦ／ＮＭＢＳＦＮ＿ＳＦのＳ−ＴＴＩ関連ＤＬ  ＴＭを同じく設定（／シグナリング）し、Ｌ−ＴＴＩ関連ＤＬ  ＴＭを異なるように設定（／シグナリング）（または、ＮＭＢＳＦＮ＿ＳＦ（または、ＭＢＳＦＮ＿ＳＦ）のＳ−ＴＴＩ関連ＴＭとＬ−ＴＴＩ関連ＤＬ  ＴＭとを同じく設定（／シグナリング）し、ＭＢＳＦＮ＿ＳＦ（または、ＮＭＢＳＦＮ＿ＳＦ）のＳ−ＴＴＩ関連ＤＬ  ＴＭを異なるように設定（／シグナリング））することができる。他の一例として、もし、端末が３個のＤＬ  ＴＭを同時にサポート可能であると報告した場合、基地局は、ＭＢＳＦＮ＿ＳＦ／ＮＭＢＳＦＮ＿ＳＦのＳ−ＴＴＩ関連ＤＬ  ＴＭを異なるように設定（／シグナリング）するだけでなく、Ｌ−ＴＴＩ関連ＤＬ  ＴＭも（Ｓ−ＴＴＩ関連ＴＭと）異なるように設定（／シグナリング）することができる。
【０１９５】
また、一例として、下記提案方式は、（Ｌ−ＴＴＩだけでなく）Ｓ−ＴＴＩベースの通信が（同時に）設定（／シグナリング）された端末（Ｓ−ＵＥ）に、ＥＭＩＭＯ（例えば、３Ｄ−ＭＩＭＯ、ＦＤ−ＭＩＭＯ）動作を効率的に設定／運営する方法を提示する。
【０１９６】
（規則＃Ｐ）基地局は、Ｓ−ＵＥに、Ｓ−ＴＴＩ（通信）とＬ−ＴＴＩ（通信）との間にＥＭＩＭＯ動作を独立的に（または、異なるように）設定（／シグナリング）することができる。
【０１９７】
（規則＃Ｑ）一例として、Ｓ−ＴＴＩは、Ｌ−ＴＴＩに比べて時間軸の（制御チャネル関連）リソース量が相対的に減ったため、Ｓ−ＰＤＣＣＨのペイロードが小さい場合（周波数軸のリソース使用量を増加させることなく）信頼性が効率的に保障されることができる。したがって、Ｓ−ＴＴＩ（通信）のためにＥＭＩＭＯが設定（／シグナリング）された場合、Ｓ−ＰＤＣＣＨ上の“（非周期的）ＣＳＩ  ＲＥＱＵＥＳＴフィールドサイズ”が（過度に）増えること（例えば、Ｓ−ＰＤＣＣＨ受信性能減少誘発）を防止するために、“ＡＣＴＩＶＡＴＥＤ  ＡＰＥＲＩＯＤＩＣ  ＣＳＩ−ＲＳ  ＲＥＳＯＵＲＣＥ個数”を事前に設定（／シグナリング）された（最大）値（Ｌ＿ＶＡＬ）に制限することができる。ここで、一例として、Ｓ−ＰＤＣＣＨ上の“（非周期的）ＣＳＩ  ＲＥＱＵＥＳＴフィールドサイズ”を“３ビット”に維持するために、Ｌ＿ＶＡＬ値を“１”に制限することができる。
【０１９８】
前記説明した提案方式に対する一例も本発明の具現方法のうち一つとして含まれることができるため、一種の提案方式と見なされることは明白な事実である。また、前記説明した提案方式は、独立的に具現されることもできるが、一部提案方式の組み合わせ（または、併合）形態で具現されることもできる。一例として、本発明では説明の便宜のために３ＧＰＰ  ＬＴＥシステムに基づいて提案方式を説明したが、提案方式が適用されるシステムの範囲は、３ＧＰＰ  ＬＴＥシステム外に他のシステムにも拡張可能である。一例として、本発明の提案方式は、Ｓ−ＴＴＩベースの通信動作が設定（／シグナリング）された場合にのみ限定的に適用されることもできる。一例として、本発明の提案方式は、事前に設定（／シグナリング）されたＴＭ（例えば、ＴＭ９（または、ＴＭ１０））の場合（及び／またはＰＭＩ／ＲＩ報告が設定された場合及び／または非周期的ＣＳＩ報告の場合）にのみ限定的に適用されることもできる。本発明の提案方式は、特定ＯＳ個数（例えば、２／３ＯＳまたは７ＯＳ）のＳ−ＴＴＩが設定（／シグナリング）された場合にのみ限定的に適用されることもできる。一例として、本発明の提案方式は、ＡＰＥＲＩＯＤＩＣ  ＣＳＩ報告（または、ＰＥＲＩＯＤＩＣ  ＣＳＩ報告）動作にのみ限定的に適用されることもできる。本発明の提案方式は、ＮＯＮ−ＭＢＳＦＮ  ＳＦ（または、ＭＢＳＦＮ  ＳＦ）（上のＳ−ＴＴＩ（または、Ｌ−ＴＴＩ））にのみ限定的に適用されることもできる。本発明の提案方式は、（ＴＭ１０ベースの）一つのＣＳＩ  ＰＲＯＣＥＳＳ（または、複数個のＣＳＩ  ＰＲＯＣＥＳＳ）が設定（／シグナリング）された場合にのみ限定的に適用されることもできる。
【０１９９】
図１７は、本発明の実施例が具現される通信装置を示すブロック図である。
【０２００】
図１７を参照すると、基地局１００は、プロセッサ（ｐｒｏｃｅｓｓｏｒ）１１０、メモリ（ｍｅｍｏｒｙ）１２０及びトランシーバ（ｔｒａｎｓｃｅｉｖｅｒ）１３０を含む。プロセッサ１１０は、提案された機能、過程及び／または方法を具現する。メモリ１２０は、プロセッサ１１０と連結され、プロセッサ１１０を駆動するための多様な情報を格納する。トランシーバ１３０は、プロセッサ１１０と連結され、無線信号を送信及び／または受信する。
【０２０１】
端末２００は、プロセッサ２１０、メモリ２２０及びＲＦ部２３０を含む。プロセッサ２１０は、提案された機能、過程及び／または方法を具現する。メモリ２２０は、プロセッサ２１０と連結され、プロセッサ２１０を駆動するための多様な情報を格納する。トランシーバ２３０は、プロセッサ２１０と連結され、無線信号を送信及び／または受信する。端末２００は、他の端末に前述した方法によってＤ２Ｄ動作を実行することができる。
【０２０２】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。トランシーバ１３０、２３０は、無線信号を送信及び／または受信する一つ以上のアンテナを含むことができる。実施例がソフトウェアで具現される時、前述した技法は、前述した機能を遂行するモジュール（過程、機能など）で具現されることができる。モジュールは、メモリ１２０、２２０に格納され、プロセッサ１１０、２１０により実行されることができる。メモリ１２０、２２０は、プロセッサ１１０、２１０の内部または外部にあり、よく知られた多様な手段でプロセッサ１１０、２１０と連結されることができる。
【０２０３】
図１８は、プロセッサに含まれる装置の一例を示すブロック図である。
【０２０４】
図１８によると、プロセッサは、機能的な側面でオーバーヘッド決定部１８１０、ＣＱＩ送信部１８２０で構成されることができる。ここで、前記プロセッサは、図１８のプロセッサ２１０である。
【０２０５】
ここで、オーバーヘッド決定部１８１０は、Ｓ−ＴＴＩベースの通信が実行されるかどうかによって、事前に定義された制御チャネル関連オーバーヘッドを決定する機能を有することができる。また、ここで、ＣＱＩ決定部１８２０は、決定された前記事前に定義された制御チャネル関連オーバーヘッドに基づいて、前記ＣＱＩを送信する機能を有することができる。
【０２０６】
前記記載したプロセッサに含まれる装置に対する説明は、一つの例示に過ぎず、プロセッサは、他の機能的な要素乃至装置をさらに含むことができる。また、前記記載した各機能的な装置が実行する動作に対する具体的な例は、前述の通りであるため、これに対する重複する説明は、省略する。
【図１】
2020519205.tif 000009
【図２】
2020519205.tif 000010
【図３】
2020519205.tif 000011
【図４】
2020519205.tif 000012
【図５】
2020519205.tif 000013
【図６】
2020519205.tif 000014
【図７】
2020519205.tif 000015
【図８】
2020519205.tif 000016
【図９】
2020519205.tif 000017
【図１０】
2020519205.tif 000018
【図１１】
2020519205.tif 000019
【図１２】
2020519205.tif 000020
【図１３】
2020519205.tif 000021
【図１４（ａ）】
2020519205.tif 000022
【図１４（ｂ）】
2020519205.tif 000023
【図１５】
2020519205.tif 000024
【図１６】
2020519205.tif 000025
【図１７】
2020519205.tif 000026
【図１８】
2020519205.tif 000027
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
無線通信システムにおいてチャネル品質情報を送信する方法において、前記方法は、短いＴＴＩ（Ｓ−ＴＴＩ）及びレガシーＴＴＩ（Ｌ−ＴＴＩ）をサポートする端末により実行され、
Ｓ−ＴＴＩベースの通信が実行されるか否かに基づいて、事前に定義された制御チャネル関連リソースを決定するステップと、
前記決定されたリソースに基づいて、前記チャネル品質情報を送信するステップと、
を含み、
前記Ｓ−ＴＴＩベースの通信が実行される場合、前記リソースは、レガシーＰＤＣＣＨ領域を含むＳ−ＴＴＩと前記レガシーＰＤＣＣＨ領域を含まないＳ−ＴＴＩとの間で同じく決定される、方法。
【請求項２】
前記事前に定義された制御チャネルは、ＰＤＣＣＨである、請求項１に記載の方法。
【請求項３】
前記Ｌ−ＴＴＩは、複数のＳ−ＴＴＩを含む、請求項１に記載の方法。
【請求項４】
前記Ｌ−ＴＴＩは、１ｍｓである、請求項１に記載の方法。
【請求項５】
前記Ｓ−ＴＴＩベースの通信が実行される場合、前記事前に定義された制御チャネル関連リソースは、前記レガシーＰＤＣＣＨ領域を含むＳ−ＴＴＩベースのレファレンスリソースと前記レガシーＰＤＣＣＨ領域を含まないＳ−ＴＴＩベースのレファレンスリソースとの間で同じく決定される、請求項１に記載の方法。
【請求項６】
無線通信システムにおいてチャネル状態情報（ＣＳＩ）をレポートする方法において、前記方法は、短いＴＴＩ（Ｓ−ＴＴＩ）及びレガシーＴＴＩ（Ｌ−ＴＴＩ）をサポートする端末により実行され、
ダウンリンク制御情報（ＤＣＩ）を受信するステップと、
前記ＤＣＩによりトリガリングされた前記ＣＳＩをレポートするステップと、
を含み、
前記ＤＣＩは、前記Ｓ−ＴＴＩに関連する情報であり、
前記ＤＣＩが、前記ＣＳＩに対するレポートをトリガリングするよう設定される場合、前記レポートされたＣＳＩは、前記ＤＣＩが受信されるサブフレームに対する送信モードに基づく、方法。
【請求項７】
前記レポートされたＣＳＩは、前記ＤＣＩが受信される前記Ｓ−ＴＴＩを含む前記サブフレームに対する送信モードに基づく、請求項６に記載の方法。
【請求項８】
前記サブフレームのタイプは、ＭＢＳＦＮサブフレームタイプまたはＮＭＢＳＦＮ（ｎｏｎ−ＭＢＳＦＮ）サブフレームタイプのうち一つである、請求項６に記載の方法。
【請求項９】
前記サブフレームのタイプが前記ＭＢＳＦＮサブフレームタイプである場合と、前記サブフレームのタイプが前記ＮＭＢＳＦＮサブフレームタイプである場合は、互いに異なる送信モードが設定される、請求項８に記載の方法。
【国際調査報告】
2020519205.tif 000028
2020519205.tif 000029
2020519205.tif 000030
2020519205.tif 000031
2020519205.tif 000032
2020519205.tif 000033